(57)【特許請求の範囲】
【請求項１】
計時手段と、
毎正時・特定の日付・時刻などの所定タイミングを設定する設定手段と、
前記計時手段が前記設定手段により設定されている所定タイミングとなったことを検出する検出手段と、
前記検出手段が前記所定タイミングを検出したとき、別体の送受信機能を備えたカメラに対し転送要求信号を出力する要求手段と、
前記カメラから送られてくる画像を受信する受信手段と、
前記受信手段で受信した画像を表示する表示手段と、
を備え、前記所定タイミングになったとき前記カメラから受信した画像を表示することを特徴とする腕時計。
【発明の詳細な説明】
【０００１】
【発明の属する技術分野】
本発明は、腕時計に関する。
【０００２】
【従来の技術】
近年、画素数の多い表示装置（一般に液晶ディスプレイ）を備えた携帯電話端末が普及している。この種の携帯電話端末には、待受画面として所定の画像（壁紙ともいう）をを表示できるものもある。
【０００３】
また、画素数の多い表示装置を備えた腕時計もある。この種の腕時計は、その表示性能を最大限に活かして、時刻情報のみならず、住所録や予定表などの文字情報ないしは画像などのイメージ情報までも幅広く表示できるものがある。
【０００４】
他方、携帯型のデジタルカメラ（以下、単に「デジタルカメラ」という）も普及している。デジタルカメラは旅行や登山などに携行し、様々な場面の画像を撮影して電子的に記録することができる。最近は、温度、気圧、湿度、方位、水深、血圧、歩数、位置などのセンサを内蔵し、測定結果を表示する腕時計も考案されている。
【０００５】
【発明が解決しようとする課題】
しかしながら、かかる携帯電話端末、腕時計、デジタルカメラは、いずれも携行型の電子機器であるが、今までこれらを組み合わせて利用するということができなかったため、一方を時刻確認用に、他方を画像の記録用に使用しているにすぎず、いずれも単一の利用価値しかないという課題があった。
【０００６】
本発明は上記事情に鑑みてなされたもので、腕時計における新しい使い方を提案することを目的とするものである。
【０００７】
【課題を解決するための手段】
前記課題を解決するために本発明に係る腕時計は、計時手段と、毎正時・特定の日付・時刻などの所定タイミングを設定する設定手段と、前記計時手段が前記設定手段により設定されている所定タイミングとなったことを検出する検出手段と、前記検出手段が前記所定タイミングを検出したとき、別体の送受信機能を備えたカメラに対し転送要求信号を出力する要求手段と、前記カメラから送られてくる画像を受信する受信手段と、前記受信手段で受信した画像を表示する表示手段と、を備え、前記所定タイミングになったとき前記カメラから受信した画像を表示することを特徴とする。
【００１８】
【発明の実施の形態】
以下、図面を参照して本発明の実施の形態を詳細に説明する。
【００１９】
ここで、本発明の意図する範囲は、実施の形態に記載する電子スチルカメラに限定されない。画像記録を電子的に行うものであればよく、例えば、動画カメラであってもよいし、撮像機能が付いた携帯情報端末、電子手帳、パーソナルコンピュータ等でもよい。また、腕時計とは、必ずしも“腕”に装着するタイプの時計のみを意味しない。専ら時刻の確認に用いられるものであって、かつ、携行できる形状を有しているものであればよい。
【００２０】
また、「画像」という用語は汎用的に用いており、撮像されたアナログビデオ信号、輝度・色差合成された画像信号、ＪＰＥＧ形式などに圧縮された信号、通信のために変調された信号、情報量を減らしたサムネイル、液晶ディスプレイに表示される画像等を含むものとする。
【００２１】
（第１の実施の形態）
＜第１の実施の形態におけるカメラ、腕時計、携帯電話端末のリンク構成＞
しかして、図１は、本実施の形態にかかるウェアラブルネットワークシステムの構成図であり、１は画像記録を電子的に行うデジタルカメラなどのいわゆる電子スチルカメラであって、１ａは正面斜め上から見た図、１ｂは背面から見た図である。１０１はシャッターキー、１０２は液晶ディスプレイ、１０３は音声を入力するためのマイク、１０４は音声を出力するためのスピーカである。スピーカは着脱式のイヤホンやヘッドホンでもよく、マイクも着脱式マイクでも良い。
【００２２】
また、２は腕時計であり、２００は腕時計の液晶ディスプレイ、２１０は音声を入力するためのマイク、２１１は音声を出力するためのスピーカである。
【００２３】
また、８は携帯電話端末であり、この携帯電話端末８は、片手で持つことが可能な長尺状の機器本体８０２を有している。機器本体８０２の頂部には、伸縮可能なロッドアンテナ８０３が設けられ、前面上部には通話時に耳を当てて通話相手から送られてくる音声信号を再生するための通話用のスピーカ８０４が配置されている。このスピーカ８０４の下部には、後述する待受画面上に受信したメッセージや、当該携帯電話端末８の操作案内、動作状況等を表示するＬＣＤからなる表示部８０５が配置されている。この表示部８０５の下部には、複数のキー８０７が配置され、キー８０７の下端部近傍には、通話持にユーザが音声を入力するためのマイクロフォン８０８が配置されている。
【００２４】
キー８０７は、電源キー、オンフックキー、オフフックキー、テンキー、モードキー等の一般的に携帯電話端末に備えられているキーで構成されている。
【００２５】
これらの電子スチルカメラ１と腕時計２および携帯電話端末８は、以下の説明でも明らかになるが、各々無線３によるワイヤレス通信機能を有してローカル的なネットワークを構成するものであり、例えば、電子スチルカメラ１で記録した画像情報を腕時計２や携帯電話端末８へ送信し、その画像情報を腕時計２の液晶ディスプレイ２００や携帯電話端末８の表示部８０５に表示できるようになっている。また、腕時計２から電子スチルカメラ１側への送信機能、および携帯電話端末８から電子スチルカメラ１側への送信機能も持っている。電子スチルカメラ１から腕時計２または携帯電話端末８への送信態様は、一つの画像情報を１台の腕時計２に１回だけ送信する単一の送信態様はもちろんのこと、複数台の腕時計に対して同一の画像情報を連続的または同報的に送信する態様を含めてもよい。
【００２６】
なお、通信方式は後で触れるが公知の通信方式を用いることができるので、詳述はしない。電子スチルカメラ１側から一方的に送信することも考えられるし、腕時計２から応答信号を返してリンクを張ることも考えられる。無線ＬＡＮを構築することもできる。指向性の問題はあるが赤外線通信でも良い。つまり、ローカル的なネットワークとは、サーバーを備えたＬＡＮに限ることなく、各電子機器間で互いにデータ交換可能な環境のことを意味している。
【００２７】
また、携帯電話端末８は基地局９０１と交信を行うことにより、基地局９０１及び電話回線網９０２を介してインターネット９０３に接続可能である。インターネット９０３には、サーバー９０４が接続されており、このサーバー１０４は、後述するように携帯電話端末８から送信されてくる画像データを蓄積し、外部からアクセス可能に保存するものである。したがって、モデムを内蔵するパソコン９０５により、電話回線網９０２及びインターネット９０３を介してサーバー９０４にアクセスし、サーバー９０４から画像データをダウンロードすることもできる。
【００２８】
＜第１の実施の形態における電子スチルカメラの構成＞
図２は、電子スチルカメラ１のブロック図である。この図において、１０は写真レンズ、１１は写真レンズ１０の光軸上に設けられた絞り機構、１２は絞り機構１１の駆動部、１３は絞り機構１１を通過した光を受けて被写体の撮像信号を出力する撮像素子（以下「ＣＣＤ」）、１４はＣＣＤ１３を駆動するためのドライバ、１５はＣＣＤ１３の電荷蓄積時間（撮像時間）を制御する信号などの各種タイミング信号を発生するタイミング発生器（略号：ＴＧ）、１６はＣＣＤ１３からの撮像信号をサンプリングしてノイズを除去するサンプルホールド回路（略号：Ｓ／Ｈ）、１７はノイズ除去後の撮像信号をディジタル信号に変換するアナログディジタル変換器（略号：Ａ／Ｄ）である。なお、撮像素子（イメージセンサ）はＣＣＤに限らずＣ−ＭＯＳ、撮像管等他の素子でも良い。
【００２９】
また、１８はＡ／Ｄ１７の出力から輝度・色差合成信号（以下「画像信号」）を生成するカラープロセス回路、１９はビデオトランスファー回路、２０は画像信号を保持するバッファメモリ、２１は画像信号を所定の符号化方式（一般にＪＰＥＧ方式）で圧縮／伸長処理する圧縮・伸張回路、２２は被写体の明るさを測定する測光センサ、２３は圧縮処理された画像信号を記録する固定または取り外し可能なフラッシュメモリである。バッファメモリ２０は少なくとも１画面分の画像を記憶する領域を有している。複数画面分の記憶領域を持たせ、撮像した画像を順次記憶していき、後で圧縮処理を行うことによって速写を可能としている。また、フラッシュメモリ２３には圧縮画像を保存する態様と、非圧縮画像を保存する態様がある。サムネイルも保存できる。さらに、音声データも保存できる。
【００３０】
また、２４はプログラムＲＯＭ２４ａに格納された制御プログラムをワークＲＡＭ２４ｂ上で実行して画像の記録や再生制御並びにこれらの制御に付帯する各種制御処理を行うＣＰＵである。ワークＲＡＭ２４ｂと前記バッファメモリ２０とは同じメモリを用いても良いし役割分担を変えても良い。
【００３１】
また、２５はシャッターキー１０１や転送キー１０５などの各種キー操作に応答してキー入力信号発生するキー入力部、２６はバッファメモリ２０に保持されている画像信号を表示に適した信号形式に変換するディジタルビデオエンコーダ、１０２はディジタルビデオエンコーダ２６からの信号を表示する画像モニター用の液晶ディスプレイ、３０はアンテナ３１を介して外部装置（腕時計２、携帯電話端末８）との間のデータ送受を行う変調回路を備えた通信部、３２は各部を接続するバスである。
【００３２】
また、４０は時計回路であり、日付、時刻情報を記憶する。計時処理はＣＰＵ２４が行い、計時された日付・時刻情報が定期的に書き換えられるものである。４１は電源回路で、電池及び２次電池の電力を各部に供給する。４２はマイク１０３から入力された音声を取り込み、また、スピーカ１０４から音声を出力するための音声制御部である。
【００３３】
５０はリモコンで、リモコン受信部５１との間で信号をやりとりする。リモコン受信部５１はＣＰＵ２４によって制御されるものである。リモコン５０によってシャッター操作などを行うことができる。
このような構成を有する電子スチルカメラ１は、キー入力部２５の所定のキー操作により、画像の記録モードと再生モードとに切替えることができ、さらに記録モードは、ＣＣＤ１３から周期的に取り出される撮像信号を表示に適した信号に変換して液晶ディスプレイ１０２に順次表示するスルーモードと、シャッタキー１０１を操作して所望の撮像信号をフラッシュメモリ２３に記録するキャプチャモードとに分けることができる。
１１０はブルートゥースの送受信回路モジュール、１１１はブルートゥース用アンテナである。また、１１２はインターフェース回路で、パソコンに接続するためのデータ出力端子１１３が接続されている。
【００３４】
＜第１の実施の形態におけるスルーモード＞
スルーモード（被写体のモニタモード）では、写真レンズ１０の後方に配置されたＣＣＤ１３がドライバ１４からの信号で駆動され、写真レンズ１０で集められた被写体像が一定周期毎に光電変換されて１画像分の信号が出力される。そして、この信号がＳ／Ｈ１６でサンプリングされ、Ａ／Ｄ１７でディジタル信号に変換された後、カラープロセス回路１８で画像信号が生成される。この画像信号は、ビデオトランスファー回路１９を介してバッファメモリ２０に転送され、同バッファへの転送完了後に、ビデオトランスファー回路１９によって読み出され、ディジタルビデオエンコーダ２６を介して液晶ディスプレイ１０２に送られ、スルー画像として表示される。
【００３５】
＜第１の実施の形態におけるキャプチャモード＞
この状態でカメラの向きを変えると、液晶ディスプレイ１０２に表示されているスルー画像の構図が変化し、適宜の時点（所望の構図が得られた時点）でシャッターキーを“半押し"して露出とフォーカスを自動若しくは手動でセットした後、“全押し"すると、キャプチャモードに切り替わり、バッファメモリ２０の画像バッファに保存されている画像信号がその時点の画像信号で固定され、且つ液晶ディスプレイ１０２に表示されているスルー画像も同時点の画像で固定される。そして、その時点でバッファメモリ２０の画像バッファに保存されている画像信号は、ビデオトランスファー回路１９を介して圧縮・伸長回路２１に送られ、輝度情報と色差情報の各コンポーネント毎に８×８画素の基本ブロックと呼ばれる単位でＪＰＥＧ符号化された後、フラッシュメモリ２３に記録（キャプチャ）される。
また、シャッターキーを“全押し"した後、所定時間内にマイク１０３から入力された音声も、“全押し"した際のキャプチャ画像とともに、フラッシュメモリ２３に記録される。したがって、フラッシュメモリ２３には音声記録画像が記録される。
【００３６】
＜第１の実施の形態における再生モード＞
また、再生モードでは、ＣＣＤ１３からバッファメモリ２０までの経路が遮断されるとともに、最新のキャプチャ画像がフラッシュメモリ２３から読み出され、圧縮・伸長回路２１で伸張処理された後、ビデオトランスファー回路１９を介してバッファメモリ２０の画像バッファに送られる。そして、この画像バッファのデータがビデオトランスファー回路１９とディジタルビデオエンコーダ２６を介して液晶ディスプレイ１０２に送られ、再生画像として表示される。このとき、キャプチャ画像とともに音声データが記憶されている場合には、音声制御回路４２の動作により、スピーカ１０４から再生音声が発生する。
【００３７】
再生画像は、キー入力部２５の所定のキー、例えば、プラス（＋）キーやマイナス（−）キーを操作することによって変更可能であり、また、所定の機能キーを操作することによって通信部３０を介し外部へ送信することも可能である。
【００３８】
＜第１の実施の形態における腕時計の構成＞
図３は、腕時計２のブロック図である。この図において、２０１は正確な周期信号を発生する発振回路、２０２は発振回路２０１で発生した周期信号を分周して現在の日付と時刻を表す日時信号を発生する計時回路、２０３は日時合わせなどのキー信号を発生するキー入力部、２１５は表示部としての液晶ディスプレイ、２０５は計時機能および該機能に付帯する各種機能を実現するための制御プログラムを格納するメモリ、２０７はアンテナ、２０６は通信部、２０８は制御プログラムを実行して腕時計全体の制御を司る制御部である。また、メモリ２０５に受信した画像を保存する場合、その画像内（のファイルヘッダ等）にまたは画像データを管理するファイルシステム等に画像の受信日時情報を保存しておくことが望ましい。。日時情報は画像の一部にオーバラップさせて表示してもよいし、画像の管理等に利用してもよい。
【００３９】
メモリ２０５は受信した画像または音声記録画像を保存する領域を有しても良い。受信した画像はビデオスルーとして液晶ディスプレイ２１５に表示するのみで保存しないようにすれば記憶容量は少なくて済む。
【００４０】
液晶ディスプレイ２１５は、ｎ×ｍ画素の小型の平面表示装置であり、望ましくは、カラーもしくはモノクロ多階調表示が可能なものを用いる。
【００４１】
２０９はマイク２１０から入力された音声を取り込み、また、スピーカ２１１から音声を出力するための音声制御部である。２１２はリモコン送信部で、図２のリモコン５０と同様の機能を有し、時計２からリモコン操作により電子スチルカメラ１を制御することができる。
【００４２】
ここで、通信部２０６は、電子スチルカメラ１の通信部３０と同一のプロトコルでワイヤレスのデータ接続を実現する。同プロトコルは、ワイヤレスであればよく、例えば、近距離ワイヤレスの常套技術である赤外線通信（ＩｒＤＡ）でも構わないが、ＩｒＤＡの欠点（障害物に弱い）を考慮すると、指向性の少ないＦＭ（周波数変調）やスペクトラム拡散等の無線通信技術の利用が好ましい。電子スチルカメラ１または腕時計２の一方がポケットや鞄の中に入っていても、データ接続を支障なく行うことができる。
【００４３】
例えば、２．４５ギガヘルツ帯の無線電波を用いて１０ｍ程度の近距離をカバーし、一対一の接続で最大７２１Ｋｂｐｓの転送速度（転送レートは１Ｍｂｐｓ；次期バージョンでは２Ｍｂｐｓにアップ予定）を実現する「Ｂｌｕｅｔｏｏｔｈ」と呼ばれる近距離用微弱送信出力のモバイル通信技術は採用が望ましい候補技術の一つである。小型トランシーバモジュール（図２のブルートゥースモジュール３０と図３の通信部２０６に相当）を搭載するだけで実現できる。その他、６４ＫｂｐｓＰＨＳ用自営標準第３版規格とか、１１ＭｂｐｓのＩＥＥＥ８０２．１１ＨＲ  ＤＳＳＳ等、無線ＬＡＮの通信方式を適用できる。
【００４４】
＜第１の実施の形態における携帯電話端末の構成＞
図４は、携帯電話端末８のブロック図である。前記スピーカ８０４、表示部８０５、キー８０７、マイクロフォン８０８は、制御部８０９に接続されている。さらに、制御部８０９には、呼出用のスピーカ８１０、前記アンテナ８０３に接続された送受信部８１１、受信データ記憶部８１３、Ｉ／Ｆ（インターフェイス）部８１４、及び待受画面データ記憶部８１５が接続されている。
【００４５】
送受信部８１１は、アンテナ８０３を介して、図３に示す基地局９０１との間で無線通信を行うものである。受信データ記憶部８１３は、受信したメールデータを記憶するものであり、Ｉ／Ｆ部８１４はＰＣ（personal computer）等の他の機器との間でデータを入出力するためのインターフェース部である。待受画面データ記憶部８１５は、電子スチルカメラ１から送信された画像データを待受画面データとして格納するものである。
【００４６】
制御部８０９は、ＣＰＵ、ＲＯＭ、ＲＡＭ等からなり、ＣＰＵがＲＡＭをワークエリアとして使用しつつＲＯＭに記憶されているプログラムに従って動作することにより、各部を制御するとともに、携帯電話端末８として必要な処理を実行する。すなわち、制御部８０９は、送受信部８１１から図１に示す電話回線網９０２に対して、他の電話端末を呼び出すための発呼信号を送信させる発呼処理、基地局９０１から呼出信号が送信されてきたときに、スピーカ８１０から着信音を発生させる受信処理、着信音の発生に応じてユーザが携帯電話端末８を電話回線網９０２に接続する指令を入力した際に、送受信部８１１を介して当該携帯電話端末８を電話回線網９０２に接続させる接続処理、相手との通話が可能となったとき、ユーザがマイクロフォン８０８から入力した音声信号を送受信部８１１から基地局９０１側に送信し、受信した音声信号にてスピーカ８４から音声を発生させる処理等を実行する。
【００４７】
また、制御部８０９は、電話回線網９０２及びインターネット９０３を介して、サーバーにメッセージデータを送信したり、サーバーに格納されているメッセージデータを取り込んで、表示部８０５に表示する処理を実行する。このような、一般的なメッセージデータの送受信処理に加えて、待受画面データ記憶部８１５に格納された画像データ（待受画面データ）に基づく待受画面画像を表示部８０５に表示し、あるいは待受画面データを電話回線網９０２を介して相手の携帯電話端末８に送信し、若しくは電話回線網９０２及びインターネット９０３を介してサーバーに送信する処理を実行する。
【００４８】
また、制御部８０９には、前述のような、メッセージデータや待受画面データのデータ通信を行うために、メッセージデータや待受画面データを送信用の信号に変換するエンコーダ８９１、及び受信信号からメッセージデータや待受画面データを復元するデコーダ８９２が内蔵されている。
【００４９】
なお、アンテナ８０３およびこれに接続された送受信部８１１は、基地局９０１との間で無線通信を行う機能を有するのみならず、電子スチルカメラ１の送信部３０からアンテナ３１を介して送信されるデータを受信する機能も具備している。
【００５０】
次に、作用を説明する。
図５は、電子スチルカメラ１の制御プログラムのフローチャートであり、記録モードの際にＣＰＵ２４で実行されるプログラムの概略フローチャートである。このプログラムは、撮像画像をモニタとして液晶ディスプレイ１０２に表示するスルー画像の表示処理（Ｓ１）を行いながら、キー入力部２５の所定のキー操作に応答してモード変更を判定（Ｓ２）し、モード変更がなければ、シャッターキー１０１の押し下げ操作（Ｓ３、Ｓ５）に応答して露出制御処理（Ｓ４）や画像記録処理（Ｓ６）を実行する。
【００５１】
また、シャッターキー１０１の押し下げ操作から所定時間以内にマイク１０３から入力された音声を記録する音声記録処理（Ｓ７）も実行するというものであるが、モード変更がある場合は、変更先モードが再生モードであるか否かを判定（Ｓ８）し、再生モードであれば、図２５の「再生モード制御」を実行する一方、そうでなければ、その他のモード選択処理を実行するというものである。ここでシャッターキー１０１の操作は、押し下げに限らずタッチキー、リモコン、コンピュータ制御などによっても良い。
【００５２】
図６において、「再生モード制御」では、まず、ｉ番目のキャプチャ画像をフラッシュメモリ２３から読み出し、圧縮・伸張回路２１で伸張処理した後、ディジタルビデオエンコーダ２６を介して液晶ディスプレイ１０２に表示する（Ｓ１１）。また、ｉ番目のキャプチャ画像とともに音声データが記憶されている場合には、これをフラッシュメモリ２３から読み出し、音声制御回路４２を介してスピーカ１０４により再生する（Ｓ１２）。ここに、変数ｉの初期値は、フラッシュメモリ２３に最後に格納されたキャプチャ画像の番号、すなわち、最後に記録された画像の番号である。
【００５３】
表示画像の変更を希望する場合（Ｓ１２のＹＥＳ判定）は、キー入力部２５の所定のキー、例えば、プラス（＋）キーやマイナス（−）キーを操作して変数ｉの値を更新（Ｓ１４）した後、再び、ｉ番目のキャプチャ画像をフラッシュメモリ２３から読み出し、圧縮・伸張回路２１で伸張処理した後、ディジタルビデオエンコーダ２６を介して液晶ディスプレイ１０２に表示し（Ｓ１１）、音声を再生する（Ｓ１２）。
【００５４】
所望の画像表示及び音声を確認すると、次に、画像（または音声記録画像）送信を行うか否かを判定する（Ｓ１５）。この判定は、例えば、キー入力部２５の所定キーの操作を判定することによって行う。画像送信を行わない場合（Ｓ１５のＮＯ判定）はそのままプログラムを終了するが、画像送信を行う場合（Ｓ１５のＹＥＳ判定）は、ｉ番目のキャプチャ画像、すなわち、液晶ディスプレイ１０２に表示中のキャプチャ画像の縮小画像（サムネイル画像ともいう）を生成する（Ｓ１６）。
【００５５】
次に、受信側の電子機器（この場合は携帯電話端末）が話し中であるかをチェックする（Ｓ１７）。受信側の電子機器がローカルなネットワークと外部との通信を同じ受信部を用いて行っている場合は、データを送信しようとしても物理的にビジーとなって送信できないが、本実施の形態のように電話通信用受信部とブルートゥース受信部が別々の場合は、電話が話し中であっても受信を許容し受信データをバッファに蓄えておいても良い。本実施形態では、電話用受信部が送受信中は「話し中」として送信を受け付けないようになっている。そして、話し中である場合には、所定時間待機した後（Ｓ１８）、Ｓ１５からの処理繰り返す。また、話し中出ない場合には、、その縮小画像を通信部３０を介して外部に送信する（Ｓ１９）。また、音声データがある場合には、これを送信し（Ｓ２０）、プログラムを終了する。ここに、縮小画像の大きさは、例えば、腕時計２の液晶ディスプレイ２１５の表示サイズに適合する大きさであり、縮小率は、例えば、キャプチャ画像の画素数をＭ×Ｎとした場合、このＭ×Ｎを腕時計２の表示部４３および携帯電話端末８の表示部８０５の画素数（ｎ×ｍ）に変換できる値である。なお、サムネイルとは一般に大きい画像を間引いて作成したインデックス用の見出し画面のことを指すことが多い。そして、画像をフラッシュメモリなどに保存するとき、ＪＰＥＧなどの圧縮方式により圧縮された画像とその画像のサムネイルをセットで記憶保存する（サムネイルもＪＰＥＧ圧縮することが多い）。再生時には、まずサムネイルで一覧を表示し、選択されたサムネイルに対応する圧縮された画像を読み出して伸張し、表示する。本発明において、画像を転送する場合、撮像された画像そのものを転送しても良いが、一般的にはＪＰＥＧ圧縮された圧縮画像を転送するのが一般的である。また、腕時計のように表示部が小さい電子機器に転送する際は、圧縮されていないサムネイルを送れば十分である。そうすれば伝送容量も小さいし、受信側に伸張回路を設ける必要もない。また、前記説明で画像送信時にサムネイルを作成しているが（Ｓ１６）、予め画像とセットでサムネイルも記憶していれば改めて作成せず記憶しているものを読み出せばよい。このことは、後述する他の実施の形態についても当てはまる。
【００５６】
なお、この実施の形態においては、Ｓ１６の処理終了直後に、受信側の電子機器（携帯電話端末）が話し中であるかをチェックするようにしたが、Ｓ１９，２０で送信処理を行った際、受信側の電子機器（この場合は携帯電話端末）が話し中であるかをチェックし、話し中である場合には、送信機器側（本実施形態ではカメラ）が、所定時間後に再送信するようにしてもよい。
【００５７】
図７は、腕時計２の制御部２０８で実行される計時制御プログラムの概略的なフローチャートである。このプログラムは、まず、計時回路２０２から日時信号を読み込み（Ｓ２１）、次いで、通信部２０６で電子スチルカメラ１からのデータ受信ありか否かを判定し（Ｓ２２）、データ受信なしであれば（Ｓ２２のＮＯ判定）、計時回路４０から読み込んだ日時信号を用いて液晶ディスプレイ２１５の日時表示を更新する（Ｓ２３）。
【００５８】
一方、Ｓ２２でデータ受信ありを判定した場合は、次に、適正な受信データであるか否かを判定（Ｓ２４）し、適正な受信データであれば、受信データから画像を再生（Ｓ２５）して、その再生画像を表示部４３に表示する（Ｓ２６）。また、受信データ中に音声データがある場合には、音声回路２０９を介してスピーカ２１１により音声を再生する（Ｓ２６）。
【００５９】
図８は、携帯電話端末８の制御部８０９で実行される制御プログラムの概略的なフローチャートである。
【００６０】
キー８０７に対する所定の操作により待受画面データ処理モードが設定されていると、このフローチャートに従って処理を実行する。すなわち、電子スチルカメラ１からの画像データ受信ありか否かを判定し（Ｓ３１）、画像データ受信があるまで待機状態を維持する。画像データ受信があったならば、受信した画像データを待受画面データとして待受画面データ記憶部８１５に記憶する（ステップＳ３２）。次に、画像データの受信が終了したか否かを判断し（ステップＳ３３）、データ受信が終了するまでステップＳ３２、Ｓ３３の処理を繰り返す。
【００６１】
そして、電子スチルカメラ１から送信された画像データの受信が終了すると、キー８０７に対する所定操作の有無により、記憶させた画像データを特定の相手に送信する操作がなされたか否かを判断する（ステップＳ３４）。該操作がなされならば、他の携帯電話端末８を呼び出すための発呼信号を送信させる発呼処理を行い、通話状態となった時点で、待受画面データ記憶部８１５に記憶されている画像データを送信する（ステップＳ８）。したがって、この処理により、相手側の携帯電話端末８は、これを待受画面データ記憶部８１５に記憶させて、後述するように表示部８０５に待受画面として表示させることができる。
【００６２】
また、キー８０７に対する所定の操作の有無により、記憶させた画像データをインターネット配信する操作がなされたか否かを判断する（ステップＳ３６）。該操作がなされならば、電話回線網９０２を介してインターネット９０３に接続し、インターネット９０３上のサーバー９０４に、待受画面データ記憶部８１５に記憶されている画像データを送信する（ステップＳ３７）。したがって、インターネット９０３上のサーバー９０４には、各ユーザが電子スチルカメラ１で撮像した画像データが、外部からアクセス可能に逐次保存されることとなる。よって、撮像者以外の者が、パソコン９０５によりインターネット９０３上のサーバー９０４にアクセスして、画像データをダウンロードし再生することにより、他人の個人画像を自由に楽しむことができるシステムが構築される。無論、画像データのダウンロードに対しては、公知の課金方法により課金するようにしてもよい。
【００６３】
また、ステップＳ３８においては、既に待受画面データ記憶部８１５に記憶されている複数種の画像データのいずれかが選択されたか否かを判断する。いずれかの画像データが選択されたならば、当該画像データを待受画面として設定し（ステップＳ３９）、この待受画面データに基づき表示部８０５に待受画面として待受画面表示行う（ステップＳ４０）。したがって、このステップＳ３９及びＳ４０での処理により、図９（ａ）に示すように、携帯電話端末８の表示部８０５に選択された画像データに基づく待受画面画像Ｗ１を待受画面として表示することができる。また、同図（ｂ）に示すように、他の画像データを選択することにより、表示部８０５の表示状態を待受画面画像Ｗ２に変更することもできる。
【００６４】
なお、以上の説明においては、図１０（ａ）に示したように、人物Ａが電子スチルカメラ１、腕時計２、および携帯電話端末８を共に携行している場合を前提としたが、同図（ｂ）に示すように、人物Ｂは電子スチルカメラ１を携行し、人物Ｃは腕時計２と携帯電話端末８を携行している場合も想定できる。この場合、人物Ｂ、Ｃの距離が近く電波の到達範囲に位置していると、電子スチルカメラ１から送信したデータを人物Ｃの腕時計２や携帯電話端末８で受信できる。この利用法によれば、人物Ｂの周囲の者（グループに属する者）の携帯電話端末８が共通した待受画面データを持つこともできる。
（第２の実施の形態）
以下の実施の形態においては携帯電話端末を図示していないが、前記第１の実施の形態と同様、ウェアラブルネットワークを構成する電子機器として携帯電話端末を適用できることは勿論である。
＜第２の実施の形態におけるカメラと腕時計のリンク構成＞
【００６５】
図１１は、第２の実施の形態のカメラと腕時計のリンクシステムの構成図であり、６００は画像記録を電子的に行うデジタルカメラなどのいわゆる電子スチルカメラであって、６００ａは正面斜め上から見た図、６００ｂは背面から見た図である。６０１はシャッター、６０２は液晶ディスプレイ、６０３は音声を入力するためのマイク、６０４は音声を出力するためのスピーカである。また、７００は腕時計であり、７１５は腕時計の液晶ディスプレイ、７１０は音声を入力するためのマイク、７２０は音声を出力するためのスピーカである。
【００６６】
これらの電子スチルカメラ６００および腕時計７００は、以下の説明でも明らかになるが、各々無線３によるワイヤレス通信機能を有しており、例えば、電子スチルカメラ６００で記録した画像情報を腕時計７００へ送信し、その画像情報を腕時計７００の液晶ディスプレイ７１５に表示できるようになっている。また、腕時計７００から電子スチルカメラ６００側への送信機能も持っている。電子スチルカメラ６００から腕時計７００への送信態様は、一つの画像情報を１台の腕時計７００に１回だけ送信する単一の送信態様はもちろんのこと、複数台の腕時計に対して同一の画像情報を連続的または同報的に送信する態様を含めてもよい。
【００６７】
なお、通信方式は後で触れるが公知の通信方式を用いることができるので、詳述はしない。また、電子スチルカメラ６００のアンテナは図１１では図示していない。電子スチルカメラ６００側から一方的に送信することも考えられるし、腕時計７００から応答信号を返してリンクを張ることも考えられる。無線ＬＡＮを構築することもできる。指向性の問題はあるが赤外線通信でも良い。
【００６８】
＜第２の実施の形態における電子スチルカメラの構成＞
【００６９】
図１２は、電子スチルカメラ６００のブロック図である。この図において、６１０は写真レンズ、６１１は写真レンズ６１０の光軸上に設けられた絞り機構、６１２は絞り機構６１１の駆動部、６１３は絞り機構６１１を通過した光を受けて被写体の撮像信号を出力する撮像素子（以下「ＣＣＤ」）、６１４はＣＣＤ６１３を駆動するためのドライバ、６１５はＣＣＤ６１３の電荷蓄積時間（撮像時間）を制御する信号などの各種タイミング信号を発生するタイミング発生器（略号：ＴＧ）、６１６はＣＣＤ６１３からの撮像信号をサンプリングしてノイズを除去するサンプルホールド回路（略号：Ｓ／Ｈ）、６１７はノイズ除去後の撮像信号をディジタル信号に変換するアナログディジタル変換器（略号：Ａ／Ｄ）である。なお、撮像素子（イメージセンサ）はＣＣＤに限らずＣ−ＭＯＳ、撮像管等他の素子でも良い。
【００７０】
また、６１８はＡ／Ｄ６１７の出力から輝度・色差合成信号（以下「画像信号」）を生成するカラープロセス回路、６１９はビデオトランスファー回路、６２０は画像信号を保持するバッファメモリ、６２１は画像信号を所定の符号化方式（一般にＪＰＥＧ方式）で圧縮／伸長処理する圧縮・伸張回路、６２２は被写体の明るさを測定する測光センサ、６２３は圧縮処理された画像信号を記録する固定または取り外し可能なフラッシュメモリである。バッファメモリ６２０は少なくとも１画面分の画像を記憶する領域を有している。複数画面分の記憶領域を持たせ、撮像した画像を順次記憶していき、後で圧縮処理を行うようにすると速写が可能となる。また、フラッシュメモリ６２３には圧縮画像を保存する態様と、非圧縮画像を保存する態様がある。サムネイルも保存できる。
【００７１】
また、６２４はプログラムＲＯＭ６２４ａに格納された制御プログラムをワークＲＡＭ６２４ｂ上で実行して画像の記録や再生制御並びにこれらの制御に付帯する各種制御処理を行うＣＰＵである。ワークＲＡＭ６２４ｂと前記バッファメモリ６２０とは同じメモリを用いても良いし役割分担を変えても良い。
【００７２】
また、６２５はシャッターキー６０１や転送キー６０５などの各種キー操作に応答してキー入力信号発生するキー入力部、６２６はバッファメモリ６２０に保持されている画像信号を表示に適した信号形式に変換するディジタルビデオエンコーダ、６０２はディジタルビデオエンコーダ６２６からの信号を表示する画像モニター用の液晶ディスプレイ、６３０はアンテナ６３１を介して外部装置（腕時計７００）との間のデータ送受を行う変調回路を備えた通信部、６３２は各部を接続するバスである。
【００７３】
また、６４０は時計回路であり、日付、時刻情報を記憶する。計時処理はＣＰＵ６２４が行い、計時された日付・時刻情報が定期的に書き換えられるものである。６４１は電源回路で、電池及び２次電池の電力を各部に供給する。
【００７４】
６５０はリモコンで、リモコン受信部６５１との間で信号をやりとりする。リモコン受信部６５１はＣＰＵ６２４によって制御されるものである。リモコン６５０によってシャッター操作などを行うことができる。
【００７５】
このような構成を有する電子スチルカメラ６００は、キー入力部６２５の所定のキー操作により、画像の記録モードと再生モードとに切替えることができ、さらに記録モードは、ＣＣＤ６１３から周期的に取り出される撮像信号を表示に適した信号に変換して液晶ディスプレイ６０２に順次表示するスルーモードと、シャッタキー６０１を操作して所望の撮像信号をフラッシュメモリ６２３に記録するキャプチャモードとに分けることができる。
【００７６】
＜第２の実施の形態におけるスルーモード＞
スルーモードでは、写真レンズ６１０の後方に配置されたＣＣＤ６１３がドライバ６１４からの信号で駆動され、写真レンズ６１０で集められた被写体像が一定周期毎に光電変換されて１画像分の信号が出力される。そして、この信号がＳ／Ｈ６１６でサンプリングされ、Ａ／Ｄ６１７でディジタル信号に変換された後、カラープロセス回路６１８で画像信号が生成される。この画像信号は、ビデオトランスファー回路６１９を介してバッファメモリ６２０に転送され、同バッファへの転送完了後に、ビデオトランスファー回路６１９によって読み出され、ディジタルビデオエンコーダ６２６を介して液晶ディスプレイ６０２に送られ、スルー画像として表示される。
【００７７】
＜第２の実施の形態におけるキャプチャーモード＞
この状態でカメラの向きを変えると、液晶ディスプレイ６０２に表示されているスルー画像の構図が変化し、適宜の時点（所望の構図が得られた時点）でシャッターキーを“半押し”して露出とフォーカスを自動若しくは手動でセットした後、“全押し”すると、キャプチャーモードに切り替わり、バッファメモリ６２０の画像バッファに保存されている画像信号がその時点の画像信号で固定され、かつ液晶ディスプレイ６０２に表示されているスルー画像も同時点の画像で固定される。そして、その時点でバッファメモリ６２０の画像バッファに保存されている画像信号は、ビデオトランスファー回路６１９を介して圧縮・伸長回路２１に送られ、輝度情報と色差情報の各コンポーネント毎に８×８画素の基本ブロックと呼ばれる単位でＪＰＥＧ符号化された後、フラッシュメモリ６２３に記録（キャプチャ）される。
【００７８】
＜第２の実施の形態における再生モード＞
また、再生モードでは、ＣＣＤ６１３からバッファメモリ６２０までの経路が遮断されるとともに、最新のキャプチャー画像がフラッシュメモリ６２３から読み出され、圧縮・伸長回路２１で伸張処理された後、ビデオトランスファー回路６１９を介してバッファメモリ６２０の画像バッファに送られる。そして、この画像バッファのデータがビデオトランスファー回路６１９とディジタルビデオエンコーダ６２６を介して液晶ディスプレイ６０２に送られ、再生画像として表示される。
【００７９】
再生画像は、キー入力部６２５の所定のキー、例えば、プラス（＋）キーやマイナス（−）キーを操作することによって変更可能であり、また、所定の機能キーを操作することによって通信部６３０を介し外部へ送信することも可能である。
【００８０】
＜第２の実施の形態における腕時計の構成＞
図１３は、腕時計７００のブロック図である。この図において、７０１は正確な周期信号を発生する発振回路、７０２は発振回路７０１で発生した周期信号を分周して現在の日付と時刻を表す日時信号を発生する計時回路、７０３は日時合わせなどのキー信号を発生するキー入力部、７１５は表示部としての液晶ディスプレイ、７０５は計時機能および該機能に付帯する各種機能を実現するための制御プログラムを格納するメモリ、７０７はアンテナ、７０６は通信部、７０８は制御プログラムを実行して腕時計全体の制御を司る制御部である。
【００８１】
メモリ７０５は受信した画像を保存する領域を有しても良い。受信した画像はビデオスルーとして液晶ディスプレイ７１５に表示するのみで保存しないようにすれば記憶容量は少なくて済む。また、メモリ７０５に受信した画像を保存する場合、その画像内（のファイルヘッダ等）にまたは画像データを管理するファイルシステム等に画像の受信日時情報を保存しておくことが望ましい。日時情報は画像の一部にオーバラップさせて表示してもよいし、画像の管理等に利用してもよい。
液晶ディスプレイ７１５は、ｎ×ｍ画素の小型の平面表示装置であり、望ましくは、カラーもしくはモノクロ多階調表示が可能なものを用いる。
７０９はマイク７１０から入力された音声を取り込み、また、スピーカ７１１から音声を出力するための音声制御部である。７１２はリモコン送信部で、図１２のリモコン６５０と同様の機能を有し、時計７００からリモコン操作により電子スチルカメラ６００を制御することができる。
【００８２】
次に、作用を説明する。
図１４は、電子スチルカメラ６００の制御プログラムのフローチャートであり、記録モードの際にＣＰＵ６２４で実行されるプログラムの概略フローチャートである。このプログラムは、撮像画像をモニタとして液晶ディスプレイ６０２に表示するスルー画像の表示処理（Ｓ６０１）を行いながら、キー入力部６２５の所定のキー操作に応答してモード変更を判定（Ｓ６０２）し、モード変更がなければ、シャッターキー６０１の押し下げ操作（Ｓ６０３、Ｓ６０５）に応答して露出制御処理（Ｓ６０４）や画像記録処理（Ｓ６０６）を実行するというものであるが、モード変更がある場合は、変更先モードが再生モードであるか否かを判定（Ｓ６０７）し、再生モードであれば、図１５の「再生モード制御」を実行する一方、そうでなければ、その他のモード選択処理を実行するというものである。ここでシャッターキー６０１の操作は、押し下げに限らずタッチキー、リモコン、コンピュータ制御などによっても良い。
【００８３】
図１５において、「再生モード制御」では、まず、ｉ番目のキャプチャ画像をフラッシュメモリ６２３から読み出し、圧縮・伸張回路６２１で伸張処理した後、ディジタルビデオエンコーダ６２６を介して液晶ディスプレイ６０２に表示する（Ｓ６１１）。ここに、変数ｉの初期値は、フラッシュメモリ６２３に最後に格納されたキャプチャ画像の番号、すなわち、最後に記録された画像の番号である。
【００８４】
表示画像の変更を希望する場合（Ｓ６１２のＹＥＳ判定）は、キー入力部２５の所定のキー、例えば、プラス（＋）キーやマイナス（−）キーを操作して変数ｉの値を更新（Ｓ６１３）した後、再び、ｉ番目のキャプチャ画像をフラッシュメモリ６２３から読み出し、圧縮・伸張回路６２１で伸張処理した後、ディジタルビデオエンコーダ６２６を介して液晶ディスプレイ６０２に表示する（Ｓ６１１）。
【００８５】
所望の画像表示を確認すると、次に、画像送信を行うか否かを判定する（Ｓ６１４）。この判定は、例えば、キー入力部６２５の所定キーの操作を判定することによって行う。画像送信を行わない場合（Ｓ６１４のＮＯ判定）はそのままプログラムを終了するが、画像送信を行う場合（Ｓ６１４のＹＥＳ判定）は、ｉ番目のキャプチャ画像、すなわち、液晶ディスプレイ６０２に表示中のキャプチャ画像の縮小画像（サムネイル画像ともいう）を生成し、その縮小画像を通信部６３０を介して外部に送信した後、プログラムを終了する。ここに、縮小画像の大きさは、例えば、腕時計７００の液晶ディスプレイ７１５の表示サイズに適合する大きさであり、縮小率は、例えば、キャプチャ画像の画素数をＭ×Ｎとした場合、このＭ×Ｎを腕時計７００の液晶ディスプレイ７１５の画素数（ｎ×ｍ）に変換できる値である。
【００８６】
図１６は、腕時計７００の制御部７０８で実行される計時制御プログラムの概略的なフローチャートである。このプログラムは、まず、計時回路７０２から日時信号を読み込み（Ｓ６２１）、次いで、通信部７０６で電子スチルカメラ６００からのデータ受信ありか否かを判定し（Ｓ６２２）、データ受信なしであれば（Ｓ６２２のＮＯ判定）、計時回路７０１から読み込んだ日時信号を用いて表示部の日時表示を更新する（Ｓ６２３）。例えば、図１７（ａ）は腕時計７００の液晶ディスプレイ７１５における日時表示一例であり、この例では、“１９９９／０８／１１”の日付情報と“１２：２３”の時刻情報が表示されている。
【００８７】
一方、Ｓ６２２でデータ受信ありを判定した場合は、次に、適正な受信データであるか否かを判定（Ｓ６２４）し、適正な受信データであれば、受信データから画像を再生（Ｓ６２５）して、その再生画像を表示部に表示する（Ｓ６２６）。例えば、図１７（ｂ）は腕時計７００の液晶ディスプレイ７１５における画像表示の一例であり、この例では、人物の上半身を写した画像が表示されている。
【００８８】
次に、本第２の形態の変形例について説明する。
【００８９】
図１８はシャッターキー６０１の操作に応答して電子スチルカメラ６００の画像を腕時計７００に転送するフローでチャートある。このフローチャートでは、シャッターキー６０１の操作を検出（Ｓ６３１）すると、撮像処理を行う。すなわち、ＣＣＤ６１３により撮像された画像を所定の処理を行ってバッファメモリ６２０に取り込み（ビデオスルー処理では繰り返しバッファメモリ６２０に取り込みながら表示処理を行う）（Ｓ６３２）、圧縮処理を行い（Ｓ６３３）、フラッシュメモリ６２３に記録する（Ｓ６３４）。この際、例えばＪＰＥＧ形式に圧縮した画像とサムネイル画像とを対にして記録する。それとともに、圧縮された画像またはサムネイル画像を変調して送信する（Ｓ６３５）。
【００９０】
変調する画像は一旦フラッシュメモリ６２３に書き込んでから読み出しても良いし、フラッシュメモリ６２３への書き込みと平行してあるいは書き込みを行わずに、直接、変調・送信処理を行ってもよい。
【００９１】
図１９は、シャッターキー６０１の操作に応答して画像転送処理を行うのではなく、転送キー６０５の操作に応答して転送処理を行うフローチャートである。このフローチャートでは、まず、再生モードにする（Ｓ６４１）。そうするとフラッシュメモリ２３に記録されている画像、一般的には最後に撮影した画像を読み出して伸張処理し、バッファメモリ６２０へ読み出す。サムネイルを一緒に若しくは先に読み出しても良い。そして液晶ディスプレイ６０２に表示する（Ｓ６４３）。ここで、画像を腕時計７００に送りたいときに、転送キー６０５を操作する（Ｓ６４４）。すると、ＣＰＵ６２４の制御により圧縮された画像またはサムネイル画像を変調して送信する（Ｓ６４５）。
【００９２】
図２０は、シャッターキー６０１や転送キー６０５などの人為的なキー操作に応答して画像を転送するのではなく、電子スチルカメラ６００の時計回路６４０の計時データに応じて画像を転送するようにしたフローである。すなわち、電子スチルカメラ６００の時計回路６４０の計時データを取り込み（Ｓ６５１）、その計時データが、例えば毎正時とか、特定の設定日付・時刻などになると（Ｓ６５２）、自動的に画像を送信（Ｓ６５３）するというものである。
【００９３】
図２１は、カメラ側の計時手段６４０でなく、腕時計７００側の計時回路６４０の計時データを用いて電子スチルカメラ６００に対し、転送要求信号を送信するフローチャートである。すなわち、腕時計７００の計時回路７０２の計時データを取り込み（Ｓ６６１）、その計時データが、例えば毎正時とか、特定の設定日付・時刻などになると（Ｓ６６２）、自動的に電子スチルカメラ６００に対して画像の転送要求を出力（Ｓ６６３）するというものであり、転送要求信号を受信した電子スチルカメラ６００が画像転送処理を行い、その転送画像を腕時計７００で受信するというものである。
【００９４】
あるいは、図２２に示すように、腕時計７００の所定スイッチを押したとき（Ｓ６７１）に、電子スチルカメラ６００に対して画像転送要求信号を発信（Ｓ６７２）する用に変形してもよい。
【００９５】
以上のとおり、第２の実施の形態の電子スチルカメラ６００および腕時計７００によれば、電子スチルスチルカメラ６００で任意の画像を再生中に、その再生画像の縮小画像データを無線送信することができ、かつ、無線電波の到達エリア内に前記腕時計７００が存在していた場合に、その縮小画像データを腕時計７００で受信して腕時計７００の液晶ディスプレイ７１５に表示することができる。
【００９６】
したがって、以下のシステム的な利用法を実現することができ、表示装置を備えた腕時計の新しい使い方を模索することができる。
（Ａ）  図２３（ａ）において、人物Ａは前記電子スチルカメラ６００と前記腕時計７００を共に携行している。人物Ａは、電子スチルカメラ６００で撮影した画像を再生して確認する際に、電子スチルカメラ６００の液晶ディスプレイ６０２でその画像を確認できるが、さらに、再生画像を送信することによって腕時計７００の液晶ディスプレイ７１５で確認することもできる。この利用法によれば、腕時計７００の液晶ディスプレイ７１５を電子スチルカメラ６００のモニター画面（液晶ディスプレイ６０２）の代わりに使用することができる。
（Ｂ）  図２３（ｂ）において、人物Ｂは電子スチルカメラ６００を携行し、人物Ｃは腕時計７００を携行（装着）している。人物Ｂ、Ｃの距離が近く電波の到達範囲に位置している場合、電子スチルカメラ６００から送信した画像データを人物Ｃの腕時計７００で受信できる。この利用法によれば、人物Ｂ、Ｃ間の画像の受け渡しを簡単に行うことができる。また、人物Ｂ、Ｃが他人同士の場合には不特定な人への画像転送を行うことができ、例えば、雑踏の中での出会いゲームのような使い方をすることができる。
【００９７】
なお、上記の実施の形態では、電子スチルカメラを例にしたが、これに限らない。画像を電子的に記録できる画像記録装置であればよく、前述のとおり、動画カメラにも適用できることはいうまでもない。
【００９８】
また、上記の実施の形態は、本発明の意図する範囲において様々に変形できることはもちろんである。例えば、腕時計７００への送信画像をＪＰＥＧ圧縮された画像データとしてもよい。この場合、腕時計７００にＪＰＥＧの伸長機能を搭載しておくことは当然である。
【００９９】
または、腕時計７００への転送画像は、まとまった一つの画像データである必然性はなく、例えば、転送対象の画像のデータを複数に分割し、各分割データ毎に転送を行ってもよい。なお、画像データの分割は、画像データの先頭から固定長で行ってもよいし、画素分割、例えば、画像の２次元平面上を複数の領域（走査線単位でもよい）に分割して各領域に含まれる画素データを転送単位としてもよい。あるいは、画像の周波数成分を分割して各分割周波数成分のデータを転送単位としてもよい。画像の再生は、すべての転送データを受信してから行ってもよいし、転送データの受信毎に逐次に行ってもよい。
【０１００】
または、腕時計７００への転送画像は、電子スチルカメラ６００の液晶ディスプレイ６０２に所定周期（一般に１／３０秒周期）で表示されるスルー画像であってもよい。この場合、スルー画像をそのまま腕時計７００への転送画像としてもよいが、スルー画像の間欠画像を転送画像としてもよい。
【０１０１】
または、腕時計７００から電子スチルカメラ６００の操作を行えるようにしてもよい。例えば、腕時計７００から電子スチルカメラ６００のズーム操作、露出操作、ピント合わせ操作、画質調整操作、画角調整操作、連写機能のオンオフ操作などを行えるようにしておくと、腕時計７００を電子スチルカメラ６００のリモコンとして利用できるので好ましい。さらに、パーソナルＬＡＮやネットワークゲームに適用することもできる。
【０１０２】
（第３の実施の形態）
【０１０３】
図２４は、本実施の第２の形態に係る情報記録システムの構成図であり、３０１は画像記録を電子的に行うデジタルカメラなどのいわゆる電子スチルカメラ、２は腕時計である。これらの電子スチルカメラ３０１および腕時計３０２は、図からも理解されるように各々独立した専用のボディ（発明の要旨に記載の第１の筐体、第２の筐体に相当）に収められている。
【０１０４】
これらの電子スチルカメラ３０１および腕時計３０２は、以下の説明でも明らかになるが、各々無線３によるワイヤレス通信機能を有しており、例えば、電子スチルカメラ３０１の記録時に日時取得要求を送信し、同要求に応答する形で腕時計３０２から送信された日時情報を電子スチルカメラ３０１で受信し、その日時情報を用いて電子スチルカメラ３０１の日時管理を行うようになっている。
【０１０５】
図２５は、電子スチルカメラ３０１のブロック図である。この図において、３１０は写真レンズ、３１１は写真レンズ３１０の光軸上に設けられた絞り機構、３１２は絞り機構３１１の駆動部、３１３は絞り機構３１１を通過した光を受けて被写体の撮像信号を出力するイメージセンサ（以下「ＣＣＤ」）、３１４はＣＣＤ３１３を駆動するためのドライバ、３１５はＣＣＤ３１３の電荷蓄積時間（撮像時間）を制御する信号などの各種タイミング信号を発生するタイミング発生器（略号：ＴＧ）、３１６はＣＣＤ３１３からの撮像信号をサンプリングしてノイズを除去するサンプルホールド回路（略号：Ｓ／Ｈ）、３１７はノイズ除去後の撮像信号をディジタル信号に変換するアナログディジタル変換器（略号：Ａ／Ｄ）である。
【０１０６】
また、３１８はＡ／Ｄ３１７の出力から輝度・色差合成信号（以下「画像信号」）を生成するカラープロセス回路、３１９はビデオトランスファー回路、３２０は画像信号を保持するバッファメモリ、３２１は画像信号を所定の符号化方式（一般にＪＰＥＧ方式）で圧縮／伸長処理する圧縮・伸張回路、３２２は被写体の明るさを測定する測光センサ、３２３は圧縮処理された画像信号を記録する固定または取り外し可能なフラッシュメモリである。
【０１０７】
また、３２４はプログラムＲＯＭ３２４ａに格納された制御プログラムをワークＲＡＭ３２４ｂ上で実行して画像の記録や再生制御並びにこれらの制御に付帯する各種制御処理（例えば、その一つは後述の記録モード制御に係る処理である）を行うＣＰＵである。
【０１０８】
また、３２５はシャッターボタンや各種ボタンの操作に応答してキー入力信号発生するキー入力部、３２６はバッファメモリ３２０に保持されている画像信号を表示に適した信号形式に変換するディジタルビデオエンコーダ、３２７はディジタルビデオエンコーダ３２６からの信号を表示する画像モニター用の液晶ディスプレイ、３３０はアンテナ３３１を介して外部装置（例えば後述の腕時計３０２）との間のデータ送受を行う通信部、３３２は各部を接続するバスである。
【０１０９】
このような構成を有する電子スチルカメラ３０１は、キー入力部２５の所定のキー操作により、画像の記録モードと再生モードとに切替えることができ、さらに記録モードは、ＣＣＤ３１３から周期的に取り出される撮像信号を表示に適した信号に変換して液晶ディスプレイ３２７に順次表示するスルーモードと、シャッタキーを操作して所望の撮像信号をフラッシュメモリ３２３に記録するキャプチャモードとに分けることができる。
【０１１０】
スルーモードでは、写真レンズ３１０の後方に配置されたＣＣＤ３１３がドライバ３１４からの信号で駆動され、写真レンズ３１０で集められた被写体像が一定周期毎に光電変換されて１画像分の信号が出力される。そして、この信号がＳ／Ｈ３１６でサンプリングされ、Ａ／Ｄ３１７でディジタル信号に変換された後、カラープロセス回路３１８で画像信号が生成される。この画像信号は、ビデオトランスファー回路３１９を介してバッファメモリ３２０の画像バッファに転送され、同バッファへの転送完了後に、ビデオトランスファー回路３１９によって読み出され、ディジタルビデオエンコーダ３２６を介して液晶ディスプレイ３２７に送られ、スルー画像として表示される。
【０１１１】
この状態でカメラの向きを変えると、液晶ディスプレイ３２７に表示されているスルー画像の構図が変化し、適宜の時点（所望の構図が得られた時点）でシャッターキーを“半押し”して露出とフォーカスをセットした後、“全押し”すると、キャプチャーモードに切り替わり、バッファメモリ３２０の画像バッファに保存されている画像信号がその時点の画像信号で固定され、かつ液晶ディスプレイ３２７に表示されているスルー画像も同時点の画像で固定される。そして、その時点でバッファメモリ３２０の画像バッファに保存されている画像信号は、ビデオトランスファー回路３１９を介して圧縮・伸長回路３２１に送られ、輝度情報と色差情報の各コンポーネント毎に８×８画素の基本ブロックと呼ばれる単位でＪＰＥＧ符号化された後、フラッシュメモリ３２３に記録（キャプチャ）される。
【０１１２】
また、再生モードでは、ＣＣＤ３１３からバッファメモリ３２０までの経路が遮断されるとともに、最新のキャプチャー画像がフラッシュメモリ３２３から読み出され、圧縮・伸長回路３２１で伸張処理された後、ビデオトランスファー回路３１９を介してバッファメモリ３２０の画像バッファに送られる。そして、この画像バッファのデータがビデオトランスファー回路３１９とディジタルビデオエンコーダ３２６を介して液晶ディスプレイ３２７に送られ、再生画像として表示される。
【０１１３】
図２６は、腕時計３０２のブロック図である。この図において、３４０は正確な周期信号を発生する発振回路、３４１は発振回路３４０で発生した周期信号を分周して現在の日付と時刻を表す日時信号を発生する計時回路、３４２は日時合わせなどのキー信号を発生するキー入力部、３４３は主として日時情報を表示する表示部、３４４は計時機能および該機能に付帯する各種機能を実現するための制御プログラムを格納するメモリ、３４５はアンテナ、３４６は通信部、３４７は制御プログラムを実行して腕時計全体の制御を司る制御部である。
【０１１４】
ここで、通信部３４６は、電子スチルカメラ３０１の通信部３３０と同一のプロトコルでワイヤレスのデータ接続を実現する。
【０１１５】
図２７は、腕時計３０２の制御部３４７で実行される計時制御プログラムの概略的なフローチャートである。このプログラムは、まず、計時回路３４１から日時信号を読み込み（Ｓ３０１）、次いで、通信部３４６でカメラ装置３０１からのデータ要求が受信されたか否かを判定し（Ｓ３０２）、そして、データ要求が受信されていなければ（Ｓ３０２のＮＯ判定）、計時回路３４１から読み込んだ日時信号を用いて表示部３４３の日時表示を更新し（Ｓ３０３）、一方、データ要求が受信されていた場合は（Ｓ３０２のＹＥＳ判定）、応答信号を返し（Ｓ３０４）、計時回路３４１から読み込んだ日時信号を通信部３４６で送信した後（Ｓ３０５）、同日時信号を用いて表示部３４３の日時表示を更新する（Ｓ３０３）。
【０１１６】
以上の処理は、日時情報の表示更新の周期（一般に１秒周期）に合わせて繰り返し実行される。その結果、同周期毎に表示部３４３の日時情報表示が更新されるとともに、外部からのデータ要求の有無が周期的に判定され、データ要求があった場合に、その時点の最新の日時信号が通信部３４６を介してアンテナ３４５から送信されるという作用が得られる。
【０１１７】
図２８は、電子スチルカメラ３０１の制御プログラムのフローチャートであり、記録モードの際にＣＰＵ３２４で実行されるプログラムの概略フローチャートである。このプログラムは、スルー画像の表示処理（Ｓ３１０）を行いながら、キー入力部３２５の所定のキー操作に応答して記録モード以外の他のモードを選択（Ｓ３１１、Ｓ３１２）したり、シャッターキーの押し下げ操作（Ｓ３１３、Ｓ３１５）に応答して露出制御処理（Ｓ３１４）や画像記録処理（Ｓ３１９）を実行したりするというものであり、特に、画像記録処理（Ｓ３１９）を行う前に日時信号の要求処理（Ｓ３１６）や日時情報の受信処理（Ｓ３１８）を行うという特徴的な処理ルーチンを含むものである。
【０１１８】
すなわち、シャッターキーの全押し操作を検出すると（Ｓ３１５のＹＥＳ判定）、まず、日時情報の要求信号を、通信部３３０を介してアンテナ３３１から送信する。もし、前述の腕時計３０２が近距離に存在すれば、腕時計３０２は要求信号に対して応答信号を返す（図２７のＳ３０４参照）ので、応答信号の受信を判定し（Ｓ３１７）、応答信号に引き続いて腕時計３０２から送信される日時情報（図２４７のＳ３０５参照）を受信すると共に、その日時情報をワークＲＡＭ３２４ｂの所定領域に一時保存する。そして、画像を圧縮処理してフラッシュメモリ３２３に記録するが、ワークＲＡＭ３２４ｂの所定領域に日時情報が保存されていた場合は、画像データに関連付けてその日時情報をフラッシュメモリ３２３に記録する。上記“所定領域”は、必ずしもワークＲＡＭ３２４ｂの領域である必要はない。専用のメモリを用意してそのメモリの全部または一部の領域を利用してもよい。
【０１１９】
図２９は、フラッシュメモリ３２３の記録状態を示す概念図であり、フラッシュメモリ３２３の画像記憶領域３５０は、圧縮処理された画像データを記録する第一の領域３５２と、その第一の領域３５２に記録された画像データの記録日時を表す日時情報を記録する第二の領域３５１とを有している。なお、第一の領域３５２に記録する画像データは非圧縮処理のデータであっても構わないことはもちろんであり、さらに、第二の領域３５１に記録する日時情報は、図示のように、西暦や和暦の表示形式に整えられたデータであってもよいし、あるいは、過去の特定の日時（例えば１９００／０１／０１  ００：００：００）を初期値として、それからの経過時間を表す数値データであってもよい。数値データの場合、西暦や和暦の表示形式に容易に加工できるので好ましい。
【０１２０】
図３０は、フラッシュメモリ３２３に記録されたデータを電子スチルカメラ３０１の液晶ディスプレイ３２７に再生表示した図である。この図において、３６０は再生画像、３６１は被写体像、３６２は日時情報であり、日時情報３６２以外の被写体像３６１を含む再生画像３６０は、フラッシュメモリ３２３の第一の領域３５２に記録されたデータに対応し、日時情報３６２は第二の領域３５１に記録されたデータに対応する。
【０１２１】
以上のとおり、本実施の形態では、電子スチルカメラ３０１で画像を記録する際に、近くにある腕時計３０２に対して日時信号の要求信号を送信し、腕時計３０２から送信された日時信号を受信して当該画像の記録日時を表すデータとして同時に記録するようにしたが、腕時計３０２の日時情報の信頼性は高いから、かかる信頼性の高い日時情報を画像の記録日時とすることができる本実施の形態の電子スチルカメラ３０１は、当然のことながら記録日時の信頼性を大幅に向上できるという格別の効果が得られるのである。
【０１２２】
なお、本実施の形態の電子スチルカメラ３０１は独自の計時機能を内蔵していてもよい。上述の腕時計３０２を持ち歩かない場合や近くにない場合に内蔵の計時機能を用いて撮影日時を支障なく記録できるし、内蔵の計時機能の日時合わせに腕時計３０２の日時情報を利用することもできる。
【０１２３】
また、上記の実施の形態では、電子スチルカメラを例にしたが、これに限らない。撮影日時の記録機能を有する画像記録装置であればよく、前述のとおり、ＡＰＳカメラなどの銀塩フィルムを利用するカメラであってもよく、さらに、ムービーカメラにも適用できることはいうまでもない。
【０１２４】
また、以上の説明では、画像記録装置に、他の装置（上記例では腕時計３０２）で取得した日時情報を転送しているが、転送情報はこれに限定されない。我々の日常生活や特定の行動に必要な情報であればよく、例えば、現在位置や方位等の航法情報、温度や湿度等の気象情報などであってもよい。航法情報はコンパスやＧＰＳ（Ｇｌｏｂａｌ  Ｐｏｓｉｔｉｏｎｉｎｇ  Ｓｙｓｔｅｍ）などのセンサ類を腕時計３０２に内蔵すればよく、気象情報は温湿センサ等を腕時計３０２に内蔵すればよい。いずれの場合も、画像と同時に航法情報や気象情報などの有益な情報を画像記録装置に転送して記録することができ、例えば、旅行や登山等に携行して好ましい情報記録システムを実現することができる。
【０１２５】
さらに、以上の説明では、専ら、電子スチルカメラ３０１と腕時計３０２を用いた情報記録システムを例にしたが、本発明の意図する範囲は、かかる例示に限定されず、様々な変形システムに適用できる。
【０１２６】
例えば、カメラを主体にしたシステムを“カメラシステム”と呼ぶことにすると、本発明の思想に沿うカメラシステムは、少なくとも、計時手段（図２６の計時回路３４１を参照）を備え、現在時刻を計時する時計装置（図２６の腕時計３０２のブロック図参照）と、撮像手段（図２５のＣＣＤ３１３を参照）を有するカメラ装置（図２５の電子スチルカメラ３０１のブロック図参照）とから構成されるカメラシステムであって、前記時計装置は、前記計時する時刻情報若しくは日付情報のデータ（図２７のステップＳ３０１で読み込まれる日時信号参照）を前記カメラ装置に送信する送信手段（図２６の通信部３４６参照）を有するとともに、前記カメラ装置は、前記送信手段から送信されたデータを受信する受信手段（図２５の通信部３３０参照）を有していればよい。
【０１２７】
または、前記時計装置は、センサ手段（例えば、ＧＰＳセンサ）を有するとともに、該センサ手段によって取得されたデータまたは該取得されたデータを基に生成されたデータを前記カメラ装置に送信する送信手段（図２６の通信部３４６参照）を有し、前記カメラ装置は、前記送信手段から送信されたデータを受信する受信手段（図２５の通信部３３０参照）を有していてもよい。
【０１２８】
または、前記時計装置は、腕時計であり、前記カメラ装置は、該腕時計を腕に装着する人物によって携帯され、前記送信手段は、近距離用の微弱な送信出力を有するもの（例えば、前述のＢｌｕｅｔｏｏｔｈと呼ばれるモバイル通信技術によるもの）であってもよい。
【０１２９】
または、前記時計装置の送信手段（図２６の通信部３４６参照）は、所定の操作（例えば、人為的なボタン操作）に応答して送信処理を行うものであってもよい。
【０１３０】
または、前記時計装置の送信手段（図２６の通信部３４６参照）は、予め定められた時（日時若しくは時間）に自動的に送信処理を行うものであってもよい。
【０１３１】
または、情報記録システムとしてみた場合も、腕時計３０２から電子スチルカメラ３０１（または銀塩カメラ若しくはムービーカメラ）へのデータ送信だけでなく、例えば、腕時計３０２と電子スチルカメラ３０１（または銀塩カメラ若しくはムービーカメラ）の双方から、印刷機器（プリンタ装置）へデータ送信を行うようにしてもよい。電子スチルカメラ３０１（または銀塩カメラ若しくはムービーカメラ）に送信手段（図２５の通信部３３０参照）を設けるとともに、プリンタ装置に受信手段（図２５の通信部３３０に相当するもの；但し、受信機能のみ）を設ければよい。不図示のプリンタ装置のボディ（発明の要旨に記載の第３の筐体に相当）は、腕時計やカメラ装置のボディとは独立した別のものである。
【０１３２】
（第４の実施の形態）
＜第４の実施の形態におけるカメラと腕時計のリンク構成＞
しかして、図３１は、実施の形態のカメラと腕時計のリンクシステムの構成図であり、４００は画像記録を電子的に行うデジタルカメラなどのいわゆる電子スチルカメラであって、４００ａは正面斜め上から見た図、４００ｂは背面から見た図である。４０１はシャッターキー、４０２は液晶ディスプレイ、４０３は音声を入力するためのマイク、４０４は音声を出力するためのスピーカである。スピーカは着脱式のイヤホンやヘッドホンでもよく、マイクも着脱式マイクでも良い。また、５００は腕時計であり、５１５は腕時計の液晶ディスプレイ、５１０は音声を入力するためのマイク、５１１は音声を出力するためのスピーカである。
【０１３３】
これらの電子スチルカメラ４００および腕時計５００は、以下の説明でも明らかになるが、各々無線３によるワイヤレス通信機能を有しており、例えば、電子スチルカメラ４００で記録した画像情報を腕時計５００へ送信し、その画像情報を腕時計５００の液晶ディスプレイ５１５に表示できるようになっている。また、腕時計５００から電子スチルカメラ４００側への送信機能も持っている。電子スチルカメラ４００から腕時計５００への送信態様は、一つの画像情報を１台の腕時計５００に１回だけ送信する単一の送信態様はもちろんのこと、複数台の腕時計に対して同一の画像情報を連続的または同報的に送信する態様を含めてもよい。
【０１３４】
＜第４の実施の形態における電子スチルカメラの構成＞
図３２は、電子スチルカメラ４００のブロック図である。この図において、４１０は写真レンズ、４１１は写真レンズ４１０の光軸上に設けられた絞り機構、４１２は絞り機構４１１の駆動部、４１３は絞り機構４１１を通過した光を受けて被写体の撮像信号を出力する撮像素子（以下「ＣＣＤ」）、４１４はＣＣＤ４１３を駆動するためのドライバ、４１５はＣＣＤ４１３の電荷蓄積時間（撮像時間）を制御する信号などの各種タイミング信号を発生するタイミング発生器（略号：ＴＧ）、４１６はＣＣＤ４１３からの撮像信号をサンプリングしてノイズを除去するサンプルホールド回路（略号：Ｓ／Ｈ）、４１７はノイズ除去後の撮像信号をディジタル信号に変換するアナログディジタル変換器（略号：Ａ／Ｄ）である。なお、撮像素子（イメージセンサ）はＣＣＤに限らずＣ−ＭＯＳ、撮像管等他の素子でも良い。
【０１３５】
また、４１８はＡ／Ｄ４１７の出力から輝度・色差合成信号（以下「画像信号」）を生成するカラープロセス回路、４１９はビデオトランスファー回路、４２０は画像信号を保持するバッファメモリ、４２１は画像信号を所定の符号化方式（一般にＪＰＥＧ方式）で圧縮／伸長処理する圧縮・伸張回路、４２２は被写体の明るさを測定する測光センサ、４２３は圧縮処理された画像信号を記録する固定または取り外し可能なフラッシュメモリである。バッファメモリ４２０は少なくとも１画面分の画像を記憶する領域を有している。複数画面分の記憶領域を持たせ、撮像した画像を順次記憶していき、後で圧縮処理を行うことによって速写を可能としている。また、フラッシュメモリ４２３には圧縮画像を保存する態様と、非圧縮画像を保存する態様がある。サムネイルも保存できる。さらに、音声データも保存できる。
【０１３６】
また、４２４はプログラムＲＯＭ４２４ａに格納された制御プログラムをワークＲＡＭ４２４ｂ上で実行して画像の記録や再生制御並びにこれらの制御に付帯する各種制御処理を行うＣＰＵである。ワークＲＡＭ４２４ｂと前記バッファメモリ４２０とは同じメモリを用いても良いし役割分担を変えても良い。
【０１３７】
また、４２５はシャッターキー４０１や転送キー４０５などの各種キー操作に応答してキー入力信号発生するキー入力部、４２６はバッファメモリ４２０に保持されている画像信号を表示に適した信号形式に変換するディジタルビデオエンコーダ、４０２はディジタルビデオエンコーダ４２６からの信号を表示する画像モニター用の液晶ディスプレイ、４３０はアンテナ４３１を介して外部装置（腕時計５００）との間のデータ送受を行う変調回路を備えた通信部、４３２は各部を接続するバスである。
【０１３８】
また、４４０は時計回路であり、日付、時刻情報を記憶する。計時処理はＣＰＵ４２４が行い、計時された日付・時刻情報が定期的に書き換えられるものである。４４１は電源回路で、電池及び２次電池の電力を各部に供給する。４４２はマイク４０３から入力された音声を取り込み、また、スピーカ４０４から音声を出力するための音声制御部である。
【０１３９】
４５０はリモコンで、リモコン受信部４５１との間で信号をやりとりする。リモコン受信部４５１はＣＰＵ４２４によって制御されるものである。リモコン４５０によってシャッター操作などを行うことができる。
【０１４０】
このような構成を有する電子スチルカメラ４００は、キー入力部４２５の所定のキー操作により、画像の記録モードと再生モードとに切替えることができ、さらに記録モードは、ＣＣＤ４１３から周期的に取り出される撮像信号を表示に適した信号に変換して液晶ディスプレイ４０２に順次表示するスルーモードと、シャッタキー４０１を操作して所望の撮像信号をフラッシュメモリ４２３に記録するキャプチャモードとに分けることができる。
【０１４１】
＜第４の実施の形態におけるスルーモード＞
スルーモードでは、写真レンズ４１０の後方に配置されたＣＣＤ４１３がドライバ１４からの信号で駆動され、写真レンズ４１０で集められた被写体像が一定周期毎に光電変換されて１画像分の信号が出力される。そして、この信号がＳ／Ｈ４１６でサンプリングされ、Ａ／Ｄ４１７でディジタル信号に変換された後、カラープロセス回路４１８で画像信号が生成される。この画像信号は、ビデオトランスファー回路４１９を介してバッファメモリ４２０に転送され、同バッファへの転送完了後に、ビデオトランスファー回路４１９によって読み出され、ディジタルビデオエンコーダ４２６を介して液晶ディスプレイ４０２に送られ、スルー画像として表示される。
【０１４２】
＜第４の実施の形態におけるキャプチャモード＞
この状態でカメラの向きを変えると、液晶ディスプレイ４０２に表示されているスルー画像の構図が変化し、適宜の時点（所望の構図が得られた時点）でシャッターキーを“半押し"して露出とフォーカスを自動若しくは手動でセットした後、“全押し"すると、キャプチャモードに切り替わり、バッファメモリ４２０の画像バッファに保存されている画像信号がその時点の画像信号で固定され、且つ液晶ディスプレイ４０２に表示されているスルー画像も同時点の画像で固定される。そして、その時点でバッファメモリ４２０の画像バッファに保存されている画像信号は、ビデオトランスファー回路４１９を介して圧縮・伸長回路４２１に送られ、輝度情報と色差情報の各コンポーネント毎に８×８画素の基本ブロックと呼ばれる単位でＪＰＥＧ符号化された後、フラッシュメモリ４２３に記録（キャプチャ）される。
また、シャッターキーを“全押し"した後、所定時間内にマイク４０３から入力された音声も、“全押し"した際のキャプチャ画像とともに、フラッシュメモリ４２３に記録される。したがって、フラッシュメモリ４２３には音声記録画像が記録される。
【０１４３】
＜第４の実施の形態における再生モード＞
また、再生モードでは、ＣＣＤ４１３からバッファメモリ４２０までの経路が遮断されるとともに、最新のキャプチャ画像がフラッシュメモリ４２３から読み出され、圧縮・伸長回路４２１で伸張処理された後、ビデオトランスファー回路４１９を介してバッファメモリ４２０の画像バッファに送られる。そして、この画像バッファのデータがビデオトランスファー回路４１９とディジタルビデオエンコーダ４２６を介して液晶ディスプレイ４０２に送られ、再生画像として表示される。このとき、キャプチャ画像とともに音声データが記憶されている場合には、音声制御回路４４２の動作により、スピーカ４０４から再生音声が発生する。
【０１４４】
再生画像は、キー入力部４２５の所定のキー、例えば、プラス（＋）キーやマイナス（−）キーを操作することによって変更可能であり、また、所定の機能キーを操作することによって通信部４３０を介し外部へ送信することも可能である。
【０１４５】
＜第４の実施の形態における腕時計の構成＞
図３３は、腕時計５００のブロック図である。この図において、５０１は正確な周期信号を発生する発振回路、５０２は発振回路５０１で発生した周期信号を分周して現在の日付と時刻を表す日時信号を発生する計時回路、５０３は日時合わせなどのキー信号を発生するキー入力部、５１５は表示部としての液晶ディスプレイ、５０５は計時機能および該機能に付帯する各種機能を実現するための制御プログラムを格納するメモリ、５０７はアンテナ、５０６は通信部、５０８は制御プログラムを実行して腕時計全体の制御を司る制御部である。また、メモリ５０５に受信した画像を保存する場合、その画像内（のファイルヘッダ等）にまたは画像データを管理するファイルシステム等に画像の受信日時情報を保存しておくことが望ましい。日時情報は画像の一部にオーバラップさせて表示してもよいし、画像の管理等に利用してもよい。
【０１４６】
メモリ５０５は受信した画像または音声記録画像を保存する領域を有しても良い。受信した画像はビデオスルーとして液晶ディスプレイ５１５に表示するのみで保存しないようにすれば記憶容量は少なくて済む。
【０１４７】
液晶ディスプレイ５１５は、ｎ×ｍ画素の小型の平面表示装置であり、望ましくは、カラーもしくはモノクロ多階調表示が可能なものを用いる。
【０１４８】
５０９はマイク５１０から入力された音声を取り込み、また、スピーカ５１１から音声を出力するための音声制御部である。２１２はリモコン送信部で、図３２のリモコン４５０と同様の機能を有し、時計２からリモコン操作により電子スチルカメラ４００を制御することができる。
【０１４９】
ここで、通信部５０６は、電子スチルカメラ４００の通信部４３０と同一のプロトコルでワイヤレスのデータ接続を実現する。同プロトコルは、ワイヤレスであればよく、例えば、近距離ワイヤレスの常套技術である赤外線通信（ＩｒＤＡ）でも構わないが、ＩｒＤＡの欠点（障害物に弱い）を考慮すると、指向性の少ないＦＭ（周波数変調）やスペクトラム拡散等の無線通信技術の利用が好ましい。電子スチルカメラ４００または腕時計５００の一方がポケットや鞄の中に入っていても、データ接続を支障なく行うことができる。
【０１５０】
例えば、２．４５ギガヘルツ帯の無線電波を用いて１０ｍ程度の近距離をカバーし、一対一の接続で最大７２１Ｋｂｐｓの転送速度（転送レートは１Ｍｂｐｓ；次期バージョンでは２Ｍｂｐｓにアップ予定）を実現する「Ｂｌｕｅｔｏｏｔｈ」と呼ばれる近距離用微弱送信出力のモバイル通信技術は採用が望ましい候補技術の一つである。現在０．５平方メートル程度の小型トランシーバモジュール（図３２の通信部４３０と図３３の通信部５０６に相当）を搭載するだけで実現できる。その他、６４ＫｂｐｓＰＨＳ用自営標準第３版規格とか、１１ＭｂｐｓのＩＥＥＥ８０２．１１ＨＲ  ＤＳＳＳ等、無線ＬＡＮの通信方式を適用できる。
【０１５１】
次に、作用を説明する。
図３４は、電子スチルカメラ４００の制御プログラムのフローチャートであり、記録モードの際にＣＰＵ４２４で実行されるプログラムの概略フローチャートである。このプログラムは、撮像画像をモニタとして液晶ディスプレイ４０２に表示するスルー画像の表示処理（Ｓ４０１）を行いながら、キー入力部４２５の所定のキー操作に応答してモード変更を判定（Ｓ４０２）し、モード変更がなければ、シャッターキー４０１の押し下げ操作（Ｓ４０３、Ｓ４０５）に応答して露出制御処理（Ｓ４０４）や画像記録処理（Ｓ４０６）を実行する。
【０１５２】
また、シャッターキー４０１の押し下げ操作から所定時間以内にマイク４０３から入力された音声を記録する音声記録処理（Ｓ４０７）も実行するというものであるが、モード変更がある場合は、変更先モードが再生モードであるか否かを判定（Ｓ４０８）し、再生モードであれば、図３５の「再生モード制御」を実行する一方、そうでなければ、その他のモード選択処理を実行するというものである。ここでシャッターキー４０１の操作は、押し下げに限らずタッチキー、リモコン、コンピュータ制御などによっても良い。
【０１５３】
図３５において、「再生モード制御」では、まず、ｉ番目のキャプチャ画像をフラッシュメモリ４２３から読み出し、圧縮・伸張回路４２１で伸張処理した後、ディジタルビデオエンコーダ４２６を介して液晶ディスプレイ４０２に表示する（Ｓ４１１）。また、ｉ番目のキャプチャ画像とともに音声データが記憶されている場合には、これをフラッシュメモリ４２３から読み出し、音声制御回路４４２を介してスピーカ４０４により再生する（Ｓ４１２）。ここに、変数ｉの初期値は、フラッシュメモリ４２３に最後に格納されたキャプチャ画像の番号、すなわち、最後に記録された画像の番号である。
【０１５４】
表示画像の変更を希望する場合（Ｓ４１２のＹＥＳ判定）は、キー入力部４２５の所定のキー、例えば、プラス（＋）キーやマイナス（−）キーを操作して変数ｉの値を更新（Ｓ４１４）した後、再び、ｉ番目のキャプチャ画像をフラッシュメモリ４２３から読み出し、圧縮・伸張回路４２１で伸張処理した後、ディジタルビデオエンコーダ４２６を介して液晶ディスプレイ４０２に表示し（Ｓ４１１）、音声を再生する（Ｓ４１２）。
【０１５５】
所望の画像表示及び音声を確認すると、次に、画像（または音声記録画像）送信を行うか否かを判定する（Ｓ４１５）。この判定は、例えば、キー入力部４２５の所定キーの操作を判定することによって行う。画像送信を行わない場合（Ｓ４１５のＮＯ判定）はそのままプログラムを終了するが、画像送信を行う場合（Ｓ４１５のＹＥＳ判定）は、ｉ番目のキャプチャ画像、すなわち、液晶ディスプレイ４０２に表示中のキャプチャ画像の縮小画像（サムネイル画像ともいう）を生成し（Ｓ４１６）、その縮小画像を通信部４３０を介して外部に送信する（Ｓ４１７）。また、音声データがある場合には、これを送信し（Ｓ４１８）、プログラムを終了する。ここに、縮小画像の大きさは、例えば、腕時計５００の表示部４３の表示サイズに適合する大きさであり、縮小率は、例えば、キャプチャ画像の画素数をＭ×Ｎとした場合、このＭ×Ｎを腕時計５００の表示部４３の画素数（ｎ×ｍ）に変換できる値である。
【０１５６】
図３６は、腕時計５００の制御部５０８で実行される計時制御プログラムの概略的なフローチャートである。このプログラムは、まず、計時回路５０２から日時信号を読み込み（Ｓ４２１）、次いで、通信部５０６で電子スチルカメラ４００からのデータ受信ありか否かを判定し（Ｓ４２２）、データ受信なしであれば（Ｓ４２２のＮＯ判定）、計時回路４０２から読み込んだ日時信号を用いて液晶ディスプレイ５１５の日時表示を更新する（Ｓ４２３）。例えば、図３７（ａ）は腕時計５００の液晶ディスプレイ５１５における日時表示一例であり、この例では、“１９９９／０８／１１”の日付情報と“１２：２３”の時刻情報が表示されている。
【０１５７】
一方、Ｓ４２２でデータ受信ありを判定した場合は、次に、適正な受信データであるか否かを判定（Ｓ４２４）し、適正な受信データであれば、受信データから画像を再生（Ｓ４２５）して、その再生画像を表示部４３に表示する（Ｓ４２６）。また、受信データ中に音声データがある場合には、音声回路５０９を介してスピーカ５１１により音声を再生する（Ｓ４２６）。例えば、図３７（ｂ）は腕時計５００の液晶ディスプレイ５１５における画像表示の一例であり、この例では、人物の上半身を写した画像が表示されている。また、図示しないが、この人物を写した際に記録した音声が再生される。
【０１５８】
（第５の実施の形態）
【０１５９】
図３８は、本発明の第５の実施の形態を示すものであって、シャッターキー４０１の操作に応答して電子スチルカメラ４００の画像を腕時計５００に転送するフローでチャートある。このフローチャートでは、シャッターキー４０１の操作を検出（Ｓ４３１）すると、撮像処理を行う。すなわち、ＣＣＤ４１３により撮像された画像を所定の処理を行ってバッファメモリ４２０に取り込み（ビデオスルー処理では繰り返しバッファメモリ４２０に取り込みながら表示処理を行う）（Ｓ４３２）、圧縮処理を行い（Ｓ４３３）、フラッシュメモリ４２３に記録する（Ｓ４３４）。この際、例えばＪＰＥＧ形式に圧縮した画像とサムネイル画像とを対にして記録する。また、シャッターキーの操作から所定時間内にマイク４０３から入力された音声もフラッシュメモリ４２３に記録する（Ｓ４３５）。しかる後に、圧縮された画像またはサムネイル画像及び音声データを変調して送信する（Ｓ４３５）。
【０１６０】
変調する画像及び音声は一旦フラッシュメモリ４２３に書き込んでから読み出しても良いし、フラッシュメモリ４２３への書き込みと平行してあるいは書き込みを行わずに、直接、変調・送信処理を行ってもよい。
【０１６１】
（第６の実施の形態）
図３９は、本発明の第６の実施の形態を示すものであって、シャッターキー４０１の操作に応答して画像あるいは音声記録画像転送処理を行うのではなく、転送キー４０５の操作に応答して転送処理を行うフローチャートである。このフローチャートでは、まず、再生モードにする（Ｓ４４１）。そうするとフラッシュメモリ４２３に記録されている画像、一般的には最後に撮影した画像を読み出して伸張処理し、バッファメモリ４２０へ読み出す。サムネイルを一緒に若しくは先に読み出しても良い。そして液晶ディスプレイ４０２に表示する（Ｓ４４３）。前記画像とともに音声データが記録されている場合には、これをスピーカ４０４により再生する（Ｓ４４４）。ここで、画像を腕時計５００に送りたいときに、転送キー４０５を操作する（Ｓ４４５）。すると、ＣＰＵ４２４の制御により圧縮された画像またはサムネイル画像、及び音声データを変調して送信する（Ｓ４４６）。
【０１６２】
（第７の実施の形態）
図４０は、本発明の第７の実施の形態を示すものであって、シャッターキー４０１や転送キー４０５などの人為的なキー操作に応答して画像を転送するのではなく、電子スチルカメラ４００の時計回路４４０の計時データに応じて画像を転送するようにしたフローである。すなわち、電子スチルカメラ４００の時計回路４０の計時データを取り込み（Ｓ４５１）、その計時データが、例えば毎正時とか、特定の設定日付・時刻などになると（Ｓ４５２）、自動的に画像または音声記録画像を送信（Ｓ４５３）するというものである。
【０１６３】
（第８の実施の形態）
【０１６４】
図４１は、本発明の第８の実施の形態を示すものであって、カメラ側の計時手段４４０でなく、腕時計５００側の計時回路５０２の計時データを用いて電子スチルカメラ４００に対し、転送要求信号を送信するフローチャートである。すなわち、腕時計５００の計時回路５０２の計時データを取り込み（Ｓ４６１）、その計時データが、例えば毎正時とか、特定の設定日付・時刻などになると（Ｓ４６２）、自動的に電子スチルカメラ４００に対して画像または音声記録画像の転送要求を出力（Ｓ４６３）するというものであり、転送要求信号を受信した電子スチルカメラ４００が画像転送処理を行い、その転送画像を腕時計５００で受信するというものである。
【０１６５】
あるいは、図４２に示すように、腕時計５００の所定スイッチを押したとき（Ｓ４７１）に、電子スチルカメラ４００に対して画像転送要求信号を発信（Ｓ４７２）するように変形してもよい。
【０１６６】
（第９の実施の形態）
図４３〜４７は、本発明の第９の実施の形態を示すものである。すなわち、前記電子スチルカメラ４００のフラッシュメモリ４２３には、図４３に示すように、画像データ記憶エリア４３１と音声データ記憶エリア４３２とが設けられている。画像データ記憶エリア４３１には、前記キャプチャモードにおいて、取り込まれてＪＰＥＧ符号化され画像データが、画像データＮＯ．に対応して記憶される。音声データ記憶エリア４３２には、後述するように、腕時計５００側から送信された音声データが音声データＮＯ．に対応して記憶される。
【０１６７】
さらに、前記ワークＲＡＭ４２４ｂの一部には、図４４に示すように、データ対応メモリ４４１が設けられている。このデータ対応メモリ４４１は、前記画像データ記憶エリア４３１に記憶された画像データと、前記音声データ記憶エリア４３２に記憶された音声データとの対応関係を、前記画像データＮＯ．と音声データＮＯ．とで記憶するものである。
【０１６８】
図４５は、本実施の形態における電子スチルカメラ４００の制御プログラムのフローチャートである。このフローチャートにおいて、Ｓ４８１〜Ｓ４８６及びＳ４９１は、前述した図３４におけるＳ４０１〜Ｓ４０７と同一の処理である。しかし、画像記録処理（Ｓ４８６）では、図４３に示した画像データ記憶エリア４３１に、画像データを記憶させる。次に、この画像データを記憶させた画像データ記憶エリア４３１の画像データＮＯ．を読み取って、データ対応メモリ４４１に記憶させる（Ｓ４８７）。引き続き、後述するように腕時計５００側から送信される音声データを受信したか否かを判定する（Ｓ４８８）。受信した場合には、当該音声データを音声データ記憶エリア４３２に記憶させる（Ｓ４８９）。さらに、この音声データを記憶させた音声データ記憶エリア４３２の音声データＮＯ．を読み取って、前記Ｓ４８７で記憶させた画像データＮＯ．に対応させてデータ対応メモリ４４１に記憶させる（Ｓ４９０）。
【０１６９】
図４６の「再生モード制御」において、Ｓ５０１〜Ｓ５０６は、前述した図３５におけるＳ４１１〜Ｓ４１６と同一の処理である。そして、ｉ番目の縮小画像を送信したならば（Ｓ４１６）、前記データ対応メモリ２４１を参照することにより、当該ｉ番目の画像（画像データＮＯ．ｉの画像）に対応する音声データが記憶されているか否かを判定する（Ｓ５０７）。対応する画像データが記憶されているならば、音声データ記憶エリア４３２からこれを読み取って、送信する（Ｓ５０８）。
【０１７０】
図４７は、腕時計５００の制御部５０８で実行される計時制御プログラムの概略的なフローチャートである。このプログラムは、まず、図３６に示した実施の形態と同様に、計時回路５０２から日時信号を読み込み（Ｓ５１１）、次いで、通信部５０６で電子スチルカメラ４００からのデータ受信ありか否かを判定し（Ｓ５１２）、データ受信なしであれば（Ｓ５１２のＮＯ判定）、逆に電子スチルカメラ４００に送信する音声データがありか否かを判定する（Ｓ５１３）。このとき、例えばキー入力部５０３の所定のキー操作を行いながら、マイク５１０から音声を入力すると、音声データの送信ありと判定して（Ｓ５１２のＹＥＳ判定）、マイク５１０から入力された音声データを送信する（Ｓ５１４）。このＳ５１４で送信されるデータの受信の有無が、前述した図４５のＳ４８８で判定される。また、計時回路５０２から読み込んだ日時信号を用いて液晶ディスプレイ５１５の日時表示を更新する（Ｓ５１５）。
【０１７１】
一方、Ｓ５２２でデータ受信ありを判定した場合は、次に、適正な受信データであるか否かを判定（Ｓ５１６）し、適正な受信データであれば、受信データから画像を再生（Ｓ５１７）して、その再生画像を液晶ディスプレイ５１５に表示する（Ｓ５１８）。さらに、受信データ中に音声データがあるか否かを判定し（Ｓ５１９）、ある場合にはこの音声データに基づき、音声を再生する（Ｓ５１０）。したがって、Ｓ５１７とＳ５２０の処理が行われることにより、図３７（ｂ）に例示したように、腕時計５００の液晶ディスプレイ５１５に、人物の上半身を写した画像が表示されるのみならず、この画像を記録した際これと同時に記録したコメント等が、スピーカ５１１から出力される。
【０１７２】
以上のとおり、本実施の形態の電子スチルカメラ４００および腕時計５００によれば、電子スチルカメラ４００で任意の画像を再生中に、その再生画像の縮小画像データを無線送信することができ、且つ、無線電波の到達エリア内に前記腕時計５００が存在していた場合に、その縮小画像データを腕時計５００で受信して腕時計５００の液晶ディスプレイ５１５に表示することができる。また、電子スチルカメラ４００で任意の画像を再生中に、その再生画像の縮小画像データとこれに関連づけられた音声データを無線送信することができ、且つ、無線電波の到達エリア内に前記腕時計５００が存在していた場合に、その縮小画像データを腕時計５００で受信して腕時計５００の液晶ディスプレイ５１５に表示し、音声データを受信してスピーカ５１１で再生することができる。
【０１７３】
したがって、以下のシステム的な利用法を実現することができ、表示装置を備えた腕時計の新しい使い方を模索することができる。
（Ａ）  図４８（ａ）において、人物Ａは前記電子スチルカメラ４００と前記腕時計５００を共に携行している。人物Ａは、電子スチルカメラ４００で撮影した画像を再生して確認する際に、電子スチルカメラ４００の液晶ディスプレイ４０２でその画像を確認できるが、さらに、再生画像を送信することによって腕時計５００の液晶ディスプレイ５１５で確認することもできる。この利用法によれば、腕時計５００の液晶ディスプレイ５１５を電子スチルカメラ４００のモニター画面（液晶ディスプレイ４０２）の代わりに使用することができる。
【０１７４】
また、人物Ａは、電子スチルカメラ４００で撮影した際に、音声を腕時計５００から電子スチルカメラ４００に送信して、電子スチルカメラ４００側で撮影した画像と受信した音声とを関連づけて記憶することもできる。さらに、この電子スチルカメラ４００に関連づけて記憶された画像と音声とを送信することによって、腕時計５００の液晶ディスプレイ５１５で画像を確認し、且つスピーカ５１１からの関連する音声を受聴することができる。
（Ｂ）  図４８（ｂ）において、人物Ｂは電子スチルカメラ４００を携行し、人物Ｃは腕時計５００を携行（装着）している。人物Ｂ、Ｃの距離が近く電波の到達範囲に位置している場合、電子スチルカメラ４００から送信した画像データや音声データを人物Ｃの腕時計５００で受信できる。この利用法によれば、人物Ｂ、Ｃ間の画像と音声の受け渡しを簡単に行うことができる。また、人物Ｂ、Ｃが他人同士の場合には不特定な人への画像及び音声転送を行うことができ、例えば、雑踏の中での出会いゲームのような使い方をすることができる。
【０１７５】
なお、上記の実施の形態では、電子スチルカメラを例にしたが、これに限らない。画像を電子的に記録できる画像記録装置であればよく、前述のとおり、動画カメラにも適用できることはいうまでもない。
【０１７６】
また、上記の実施の形態は、本発明の意図する範囲において様々に変形できることはもちろんである。例えば、腕時計５００への送信画像をＪＰＥＧ圧縮された画像データとしてもよい。この場合、腕時計５００にＪＰＥＧの伸長機能を搭載しておくことは当然である。
【０１７７】
または、腕時計５００への転送画像は、まとまった一つの画像データである必然性はなく、例えば、転送対象の画像のデータを複数に分割し、各分割データ毎に転送を行ってもよい。なお、画像データの分割は、画像データの先頭から固定長で行ってもよいし、画素分割、例えば、画像の２次元平面上を複数の領域（走査線単位でもよい）に分割して各領域に含まれる画素データを転送単位としてもよい。あるいは、画像の周波数成分を分割して各分割周波数成分のデータを転送単位としてもよい。画像の再生は、すべての転送データを受信してから行ってもよいし、転送データの受信毎に逐次に行ってもよい。
【０１７８】
または、腕時計５００への転送画像は、電子スチルカメラ４００の液晶ディスプレイ４０２に所定周期（一般に１／３０秒周期）で表示されるスルー画像であってもよい。この場合、スルー画像をそのまま腕時計５００への転送画像としてもよいが、スルー画像の間欠画像を転送画像としてもよい。
または、腕時計５００から電子スチルカメラ４００の操作を行えるようにしてもよい。例えば、腕時計５００から電子スチルカメラ４００のズーム操作、露出操作、ピント合わせ操作、画質調整操作、画角調整操作、連写機能のオンオフ操作などを行えるようにしておくと、腕時計５００を電子スチルカメラ４００のリモコンとして利用できるので好ましい。さらに、パーソナルＬＡＮやネットワークゲームに適用することもできる。更に、携帯電話、携帯情報機器と時計とのリンクシステムにも適用できる。
【０１７９】
更に、時計にカメラを内蔵することにより、バリエーションに富んだカメラと時計のリンクシステムを構築することができる。すなわち、時計側で撮像した画像をカメラに転送したり、時計側若しくはカメラ側で音声と関連づけたりすることができる。
更にまた、無線ＬＡＮやインターネットと接続することによりネットワーク的な活用も可能である。
【０１８０】
【発明の効果】
以上説明したように本発明よれば、腕時計における新しい使用形態を提供することができる。
【図面の簡単な説明】
【図１】本発明の第１の実施の形態を示すシステム構成図である。
【図２】同実施の形態における電子スチルカメラのブロック図である。
【図３】同実施の形態における腕時計のブロック図である。
【図４】同実施の形態における携帯電話端末８のブロック図である。
【図５】第２の実施の形態の電子スチルカメラにおける記録モード制御プログラムのフローチャートである。
【図６】同実施の形態の電子スチルカメラにおける再生モード制御プログラムのフローチャートである。
【図７】同実施の形態の腕時計における計時制御プログラムのフローチャートである。
【図８】同実施の形態の携帯電話端末における待受画面データ処理プログラムのフローチャートである。
【図９】同実施の形態の携帯電話端末における待受画面の表示例を示す図である。
【図１０】同実施の形態のシステム利用例を示す図である。
【図１１】第２の実施の形態のシステム構成図である。
【図１２】同実施の形態における電子スチルカメラのブロック図である。
【図１３】同実施の形態における腕時計のブロック図である。
【図１４】同実施の形態の電子スチルカメラにおける記録モード制御プログラムのフローチャートである。
【図１５】同実施の形態の電子スチルカメラにおける再生モード制御プログラムのフローチャートである。
【図１６】同実施の形態の腕時計における計時制御プログラムのフローチャートである。
【図１７】同実施の形態における腕時計の表示例を示す図である。
【図１８】同実施の形態の電子スチルカメラにおけるシャッターキー操作時のフローチャートである。
【図１９】同実施の形態の電子スチルカメラにおける転送キー操作時のフローチャートである。
【図２０】同実施の形態の電子スチルカメラにおける計時による画像転送を示すフローチャートである。
【図２１】同実施の形態の時計における計時による画像転送要求を示すフローチャートである。
【図２２】同実施の形態の時計における所定スイッチによる画像転送要求を示すフローチャートである。
【図２３】同実施の形態のシステム利用例を示す図である。
【図２４】本発明の第３の実施の形態にかかる情報記録システムの構成図である。
【図２５】同実施の形態における電子スチルカメラのブロック図図である。
【図２６】同実施の形態における腕時計のブロック図である。
【図２７】同実施の形態における計時制御プログラムの概略的なフローチャートである。
【図２８】同実施の形態における電子スチルカメラの制御プログラムのフローチャートである。
【図２９】同実施の形態におけるフラッシュメモリの記録状態を示す概念図である。
【図３０】同実施の形態における液晶ディスプレイの表示例を示す図である。
【図３１】本発明の第３の形態を示すシステム構成図である。
【図３２】同実施の形態における電子スチルカメラのブロック図である。
【図３３】同実施の形態における腕時計のブロック図である。
【図３４】第４の実施の形態の電子スチルカメラにおける記録モード制御プログラムのフローチャートである。
【図３５】同実施の形態の電子スチルカメラにおける再生モード制御プログラムのフローチャートである。
【図３６】同実施の形態の腕時計における計時制御プログラムのフローチャートである。
【図３７】同実施の形態における腕時計の表示例を示す図である。
【図３８】本発明の第５の実施の形態の電子スチルカメラにおけるシャッターキー操作時のフローチャートである。
【図３９】本発明の第６の実施の形態の電子スチルカメラにおける転送キー操作時のフローチャートである。
【図４０】本発明の第７の実施の形態の電子スチルカメラにおける計時による画像転送を示すフローチャートである。
【図４１】本発明の第８の実施の形態の時計における計時による画像転送要求を示すフローチャートである。
【図４２】変形例における時計の所定スイッチによる画像転送要求を示すフローチャートである。
【図４３】本発明の第９の実施の形態におけるフラッシュメモリのメモリ構成図である。
【図４４】同実施の形態におけるワークＲＡＭのメモリ構成図である。
【図４５】同実施の形態の電子スチルカメラにおける記録モード制御プログラムのフローチャートである。
【図４６】同実施の形態の電子スチルカメラにおける再生モード制御プログラムのフローチャートである。
【図４７】同実施の形態の腕時計における計時制御プログラムのフローチャートである。
【図４８】同実施の形態のシステム利用例を示す図である。
【符号の説明】
１    電子スチルカメラ
２    腕時計
８    携帯電話端末
２０    バッファメモリ
２１    圧縮・伸張回路
２３    フラッシュメモリ
２４    ＣＰＵ
２４ａ    プログラムＲＯＭ
２４ｂ    ワークＲＡＭ
２５    キー入力部
３０    通信部
４０    時計回路
５０    リモコン
１０１    シャッターキー
１０２    液晶ディスプレイ
１０３    マイク
１０４    スピーカ
１０５    転送キー
２００    液晶ディスプレイ
２０４    表示部
２０５    メモリ
２０６    通信部
２０８    制御部
２１０    マイク
２１１    スピーカ
３０１    電子スチルカメラ
３０２    腕時計
３１３    ＣＣＤ
３２３    フラッシュメモリ
３２４    ＣＰＵ
３２４ｂ    ワークＲＡＭ
３３０    通信部
３４０    計時回路
３４４    メモリ
３４６    通信部
３４７    制御部
４００    電子スチルカメラ
５００    腕時計
４２０    バッファメモリ
４２１    圧縮・伸張回路
４２３    フラッシュメモリ
４２４    ＣＰＵ
４２４ａ  プログラムＲＯＭ
４２４ｂ  ワークＲＡＭ
４２５    キー入力部
８１５    待受画面データ記憶部
【図１】
0004192407.tif 000002
【図２】
0004192407.tif 000003
【図３】
0004192407.tif 000004
【図４】
0004192407.tif 000005
【図５】
0004192407.tif 000006
【図６】
0004192407.tif 000007
【図７】
0004192407.tif 000008
【図８】
0004192407.tif 000009
【図９】
0004192407.tif 000010
【図１０】
0004192407.tif 000011
【図１１】
0004192407.tif 000012
【図１２】
0004192407.tif 000013
【図１３】
0004192407.tif 000014
【図１４】
0004192407.tif 000015
【図１５】
0004192407.tif 000016
【図１６】
0004192407.tif 000017
【図１７】
0004192407.tif 000018
【図１８】
0004192407.tif 000019
【図１９】
0004192407.tif 000020
【図２０】
0004192407.tif 000021
【図２１】
0004192407.tif 000022
【図２２】
0004192407.tif 000023
【図２３】
0004192407.tif 000024
【図２４】
0004192407.tif 000025
【図２５】
0004192407.tif 000026
【図２６】
0004192407.tif 000027
【図２７】
0004192407.tif 000028
【図２８】
0004192407.tif 000029
【図２９】
0004192407.tif 000030
【図３０】
0004192407.tif 000031
【図３１】
0004192407.tif 000032
【図３２】
0004192407.tif 000033
【図３３】
0004192407.tif 000034
【図３４】
0004192407.tif 000035
【図３５】
0004192407.tif 000036
【図３６】
0004192407.tif 000037
【図３７】
0004192407.tif 000038
【図３８】
0004192407.tif 000039
【図３９】
0004192407.tif 000040
【図４０】
0004192407.tif 000041
【図４１】
0004192407.tif 000042
【図４２】
0004192407.tif 000043
【図４３】
0004192407.tif 000044
【図４４】
0004192407.tif 000045
【図４５】
0004192407.tif 000046
【図４６】
0004192407.tif 000047
【図４７】
0004192407.tif 000048
【図４８】
0004192407.tif 000049